(57)【要約】【課題】文字画像、文字・写真画像や写真画像等を有する原稿や画像情報において、その画像に忠実で最適な品質の印刷画像を得ることができなかった。【解決手段】モード別印圧制御手段６４は、文字モード設定キー３１、文字・写真モード設定キー３２または写真モード設定キー３３からの各種モード設定信号に基づいて、またスプリング長さ検知センサ１３や印圧ホームポジションセンサ９等からのデータ信号やオン／オフ信号等を参照しながら、写真モード設定時には文字・写真モード設定時よりも、文字・写真モード設定時には文字モード設定時よりも、それぞれ印圧が低くなるように、印圧可変手段２０の印圧制御モータ１４を制御する。【選択図】              図５
2004155170.tif 000002
【特許請求の範囲】
【請求項１】
製版済みのマスタを印刷ドラムの外周面に巻装し、該印刷ドラム上の製版済みのマスタにインキを供給し、押圧手段により上記印刷ドラムに対して印刷用紙を相対的に押し付けて印刷用紙上に印刷画像を形成する印刷装置において、
文字画像等に対応した印刷動作を行う文字印刷モード、写真画像等に対応した印刷動作を行う写真印刷モード、および文字・写真混合画像等に対応した印刷動作を行う文字・写真印刷モードのうちの少なくとも２つの印刷モードを設定する印刷モード設定手段と、
上記印刷ドラムに対する上記押圧手段の印圧を変化させる印圧可変手段と、
上記印刷モード設定手段による上記写真印刷モード設定時には上記文字・写真印刷モード設定時よりも、該文字・写真印刷モード設定時には上記文字印刷モード設定時よりも、それぞれ上記印圧が低くなるように上記印圧可変手段を制御する印刷モード別印圧制御手段と、
を有することを特徴とする印刷装置。
【請求項２】
請求項１記載の印刷装置において、
インキの粘度を検出するインキ粘度検出手段、環境温度を検出する環境温度検出手段およびインキの温度を検出するインキ温度検出手段の何れか１つ、インキの種類を検出するインキ種類検出手段およびインキの種類を設定するインキ種類設定手段の何れか１つ、上記印刷装置の印刷速度は可変であり、該印刷速度を選択的に設定する印刷速度設定手段、印刷用紙の種類を検出する用紙種類検出手段および印刷用紙の種類を設定する用紙種類設定手段の何れか１つ、マスタの種類を検出するマスタ種類検出手段およびマスタの種類を設定するマスタ種類設定手段の何れか１つの、上記印圧を介して印刷画質に影響を与える印圧用パラメータを検出または設定する手段を少なくとも１つ有し、
上記少なくとも１つの印圧用パラメータを検出または設定する手段によって検出または設定された上記少なくとも１つの印圧用パラメータに応じて、上記印圧が所定の印圧になるように上記印圧可変手段を制御する印圧用パラメータ別印圧制御手段を有することを特徴とする印刷装置。
【請求項３】
請求項１または２記載の印刷装置において、
上記印刷装置への電力の供給を断接する電力断接手段と、
上記電力断接手段によって上記電力の供給を断った後における、前回の最終印刷時に使用した上記印刷モードおよび印刷条件を記憶する記憶手段とを有し、
上記印刷ドラム上の同じ製版済みのマスタを用いて印刷を行う次回の印刷時に、上記前回の最終印刷時に使用した上記印刷モードおよび上記印刷条件を上記記憶手段から選択して印刷を行うことを特徴とする印刷装置。
【請求項４】
マスタを製版する製版手段を有し、製版済みのマスタを印刷ドラムの外周面に巻装し、該印刷ドラム上の製版済みのマスタにインキを供給し、押圧手段により上記印刷ドラムに対して印刷用紙を相対的に押し付けて印刷用紙上に印刷画像を形成する印刷装置において、
文字画像等に対応した製版動作および印刷動作を行う文字モード、写真画像等に対応した製版動作および印刷動作を行う写真モード、および文字・写真混合画像等に対応した製版動作および印刷動作を行う文字・写真モードのうちの少なくとも２つのモードを設定するモード設定手段と、
上記印刷ドラムに対する上記押圧手段の印圧を変化させる印圧可変手段と、
上記モード設定手段による上記写真モード設定時には上記文字・写真モード設定時よりも、該文字・写真モード設定時には上記文字モード設定時よりも、それぞれ上記印圧が低くなるように上記印圧可変手段を制御するモード別印圧制御手段と、
を有することを特徴とする印刷装置。
【請求項５】
請求項４記載の印刷装置において、
インキの粘度を検出するインキ粘度検出手段、環境温度を検出する環境温度検出手段およびインキの温度を検出するインキ温度検出手段の何れか１つ、インキの種類を検出するインキ種類検出手段およびインキの種類を設定するインキ種類設定手段の何れか１つ、上記印刷装置の印刷速度は可変であり、該印刷速度を選択的に設定する印刷速度設定手段、印刷用紙の種類を検出する用紙種類検出手段および印刷用紙の種類を設定する用紙種類設定手段の何れか１つ、マスタの種類を検出するマスタ種類検出手段およびマスタの種類を設定するマスタ種類設定手段の何れか１つの、上記印圧を介して印刷画質に影響を与える印圧用パラメータを検出または設定する手段を少なくとも１つ有し、
上記少なくとも１つの印圧用パラメータを検出または設定する手段によって検出または設定された上記少なくとも１つの印圧用パラメータに応じて、上記印圧が所定の印圧になるように上記印圧可変手段を制御する印圧用パラメータ別印圧制御手段を有することを特徴とする印刷装置。
【請求項６】
請求項４または５記載の印刷装置において、
上記製版手段は、多数の発熱素子を備えており、
インキの粘度を検出するインキ粘度検出手段、環境温度を検出する環境温度検出手段およびインキの温度を検出するインキ温度検出手段の何れか１つ、インキの種類を検出するインキ種類検出手段およびインキの種類を設定するインキ種類設定手段の何れか１つ、上記印刷装置の印刷速度は可変であり、該印刷速度を選択的に設定する印刷速度設定手段、印刷用紙の種類を検出する用紙種類検出手段および印刷用紙の種類を設定する用紙種類設定手段の何れか１つ、マスタの種類を検出するマスタ種類検出手段およびマスタの種類を設定するマスタ種類設定手段の何れか１つの、上記製版手段の発熱素子に供給する穿孔エネルギーを介して印刷画質に影響を与える穿孔エネルギー用パラメータを検出または設定する手段を少なくとも１つ有し、
上記少なくとも１つの穿孔エネルギー用パラメータを検出または設定する手段によって検出または設定された上記少なくとも１つの穿孔エネルギー用パラメータに応じて、上記発熱素子に供給する穿孔エネルギーを所定のエネルギーに調整するパラメータ別エネルギー調整手段を有することを特徴とする印刷装置。
【請求項７】
請求項４、５または６記載の印刷装置において、
上記印刷装置への電力の供給を断接する電力断接手段と、
上記電力断接手段により上記電力の供給を断った後における、前回の最終印刷時に使用した上記モードおよび印刷条件を記憶する記憶手段とを有し、
上記印刷ドラム上の同じ製版済みのマスタを用いて印刷を行う次回の印刷時に、上記前回の最終印刷時に使用した上記モードおよび上記印刷条件を上記記憶手段から選択して印刷動作を行うことを特徴とする印刷装置。
【発明の詳細な説明】
【０００１】
【発明の属する技術分野】
本発明は、孔版印刷装置等を含む印刷装置に関する。
【０００２】
【従来の技術】
簡便な印刷装置として感熱デジタル製版式の孔版印刷装置が知られている。この孔版印刷装置では、熱可塑性樹脂フィルム（以下、単に「フィルム」というときがある）と多孔質支持体として和紙繊維や合成繊維、あるいは和紙繊維および合成繊維を混抄したもの等とを貼り合わせたラミネート構造のマスタを用いて、このマスタのフィルム面を製版手段としてのサーマルヘッド等の発熱素子に接触させ、原稿読取装置によって読み取られた原稿画像に係る画像情報やパーソナル・コンピュータやコンピュータ（以下、これらを総称して「パソコン」という）から送信された画像情報に基づいてサーマルヘッドを主走査方向に作動させることにより、マスタのフイルム面を選択的に熱溶融穿孔・製版して穿孔画像を形成し、プラテンローラ等のマスタ搬送手段でマスタを副走査方向に移動させながら、その製版済みのマスタを、多孔性円筒状の版胴（以下、「印刷ドラム」というときがある）の外周面上に自動的に巻装し、印刷ドラム内部のインキ供給手段よりインキを供給し、給送されてきた印刷用紙をプレスローラや圧胴等の押圧手段で印刷ドラム上の製版済みのマスタに連続的に押し付けることにより、印刷ドラムの開孔部分、さらにはマスタの穿孔部分よりインキを滲み出させ、そのインキを印刷用紙に転移させて印刷を行うようになっている。
【０００３】
このような孔版印刷装置において、従来から原稿画像に忠実な印刷画像や画像情報に応じた最適な印刷濃度の印刷画像を得るために、印刷用紙を介して印刷ドラムに対する押圧手段の印圧（押圧力）を変化させるための印圧可変手段を制御する各種の技術が知られている（例えば、特許文献１ないし７参照）。
そのためのパラメータとしては、印刷速度を用いたもの（例えば、特許文献１および２参照）、温度を用いたもの（例えば、特許文献３参照）、孔版印刷装置の不使用期間や１回の使用中における印刷完了枚数など孔版印刷装置の使用状態を用いたもの（例えば、特許文献４参照）、印刷インキの種類を用いたもの（例えば、特許文献５参照）等が知られている。
【０００４】
【特許文献１】
特開平６−１５５８８０号公報
【特許文献２】
特開８−２３８８３３号公報
【特許文献３】
特開平６−１５５８８１号公報
【特許文献４】
特開平６−１５５８８２号公報
【特許文献５】
特開平６−１９９０２８号公報
【特許文献６】
特開平６−３４０１６２号公報
【特許文献７】
特開２００１−２３９７３５号公報
【０００５】
【発明が解決しようとする課題】
しかしながら、印刷ドラムに対する押圧手段の印圧を可変させる際のパラメータとして、製版画像および印刷画像として階調性を持たせ写真画像等に適している製版動作および印刷動作（以下、「製版・印刷動作」という）を行うモード（以下、「写真モード」という）、文字画像および写真画像等が混在している際に適している製版・印刷動作を行うモード（以下、「文字・写真モード」という）、文字画像等に適している製版・印刷動作を行うモード（以下、「文字モード」という）を設定するための各種モードキー等の各種モード設定手段を用いて、そのモードに最適な印圧に変えるという制御技術は、提案されておらず、また実施されていなかった。
【０００６】
上述したように、孔版印刷装置では、マスタのフィルム面をサーマルヘッドの発熱素子に接触させて、熱溶融穿孔・製版し、印刷用紙を介して印刷ドラム上の製版済みのマスタに押圧手段による印圧を加えることによってフィルムの穿孔部分から滲み出たインキを印刷用紙に転移させて印刷画像を形成させている。
そこで、孔版印刷装置で印刷した印刷画像を顕微鏡等によってミクロ的に観察してみると、溶融穿孔された孔に忠実なインキ画像としてのドットが形成されているわけではなく、その孔に対しては通常大きいドットが形成されてしまっている。
【０００７】
また、溶融穿孔された孔から印刷用紙上に吐出されるインキの吐出量（インキ転移量）は、印圧の高低によって異なり、一般的に印圧の値が高い程多く、逆に印圧の値が低い程少ないことが経験的にかつ実験上からも判明している。すなわち、印圧の値が高い程インキ消費量が多くなり、これは溶融穿孔された孔からのインキ吐出量が多く、溶融穿孔された孔に対してのインキのドット滲み量（ドットゲイン）が多いということを意味している。これとは逆に、印圧の値が低い程インキ消費量が少なくなり、これは溶融穿孔された孔からのインキ吐出量が少なく、溶融穿孔された孔に対してのインキのドット滲み量が少ないということを意味している。
【０００８】
上述した事実は、後述する図６に示すように、文字モード等のベタ部を印刷させたいときにおいて、印圧を高くすれば、溶融穿孔された孔からのインキの吐き出し、押圧（印圧をかける）した後ではインキがインキのドット間を埋める作用があるので、最終的な印刷画像としてはベタ部が黒々として綺麗に埋まっているものが得られる。逆に、写真画像のような階調性を持たせた印刷画像を得たいような場合においては、文字モード等のときのような高い印圧をかけると、印刷用紙上に形成されたインキのドットが滲んでしまい、階調性が低下しマクロ的にその印刷画像を見てみると、すっきりとしない印刷画像になって所望とする印刷画質の印刷物を得られないという問題点があった。
【０００９】
従って、本発明は、上述した事情に鑑みてなされたものであって、特に孔版印刷装置等の印刷装置において、文字画像、文字・写真画像や写真画像等を有する原稿や画像情報において、その画像に忠実で最適な品質の印刷画像を得ることができる印刷装置を提供することを主な目的とする。
【００１０】
【課題を解決するための手段】
上記課題を解決すると共に上記目的を達成するために、各請求項ごとの発明では以下の特徴ある手段・構成を採っている。
請求項１記載の発明は、製版済みのマスタを印刷ドラムの外周面に巻装し、該印刷ドラム上の製版済みのマスタにインキを供給し、押圧手段により上記印刷ドラムに対して印刷用紙を相対的に押し付けて印刷用紙上に印刷画像を形成する印刷装置において、文字画像等に対応した印刷動作を行う文字印刷モード、写真画像等に対応した印刷動作を行う写真印刷モード、および文字・写真混合画像等に対応した印刷動作を行う文字・写真印刷モードのうちの少なくとも２つの印刷モードを設定する印刷モード設定手段と、上記印刷ドラムに対する上記押圧手段の印圧を変化させる印圧可変手段と、上記印刷モード設定手段による上記写真印刷モード設定時には上記文字・写真印刷モード設定時よりも、該文字・写真印刷モード設定時には上記文字印刷モード設定時よりも、それぞれ上記印圧が低くなるように上記印圧可変手段を制御する印刷モード別印圧制御手段とを有することを特徴とする。
【００１１】
請求項２記載の発明は、請求項１記載の印刷装置において、インキの粘度を検出するインキ粘度検出手段、環境温度を検出する環境温度検出手段およびインキの温度を検出するインキ温度検出手段の何れか１つ、インキの種類を検出するインキ種類検出手段およびインキの種類を設定するインキ種類設定手段の何れか１つ、上記印刷装置の印刷速度は可変であり、該印刷速度を選択的に設定する印刷速度設定手段、印刷用紙の種類を検出する用紙種類検出手段および印刷用紙の種類を設定する用紙種類設定手段の何れか１つ、マスタの種類を検出するマスタ種類検出手段およびマスタの種類を設定するマスタ種類設定手段の何れか１つの、上記印圧を介して印刷画質に影響を与える印圧用パラメータを検出または設定する手段を少なくとも１つ有し、上記少なくとも１つの印圧用パラメータを検出または設定する手段によって検出または設定された上記少なくとも１つの印圧用パラメータに応じて、上記印圧が所定の印圧になるように上記印圧可変手段を制御する印圧用パラメータ別印圧制御手段を有することを特徴とする。
【００１２】
ここで、「上記少なくとも１つの印圧用パラメータを検出または設定する手段によって検出または設定された上記少なくとも１つの印圧用パラメータに応じて」とは、印圧用パラメータだけについて記載すると、「インキの粘度、環境温度およびインキの温度の何れか１つ、インキの種類、印刷速度、印刷用紙の種類ならびにマスタの種類のうちの少なくとも１つの印圧用パラメータに応じて」を意味している。
さらに具体的に、「上記少なくとも１つの印圧用パラメータを検出または設定する手段によって検出または設定された上記少なくとも１つの印圧用パラメータに応じて」として、「マスタの種類」を含むものについて着目して数例を挙げると、次のようである。
【００１３】
すなわち、最も簡単な第１の例は、「マスタ種類検出手段またはマスタ種類設定手段によって検出または設定されたマスタの種類に応じて」である。
【００１４】
第２の例は、「マスタ種類検出手段またはマスタ種類設定手段によって検出または設定されたマスタの種類と、インキ粘度検出手段によって検出されたインキの粘度とに応じて」である。この場合のインキの種類は、１種類でありインキの粘度が特定される。
第３の例は、「マスタ種類検出手段またはマスタ種類設定手段によって検出または設定されたマスタの種類と、インキ粘度検出手段によって検出されたインキの粘度と、インキ種類検出手段またはインキ種類設定手段によって検出または設定されたインキの種類とに応じて」である。この場合のインキの種類は、２種類以上である。
第４の例は、「マスタ種類検出手段またはマスタ種類設定手段によって検出または設定されたマスタの種類と、環境温度検出手段によって検出された環境温度とに応じて」である。
第５の例は、「マスタ種類検出手段またはマスタ種類設定手段によって検出または設定されたマスタの種類と、インキ温度検出手段によって検出されたインキの温度とに応じて」である。
【００１５】
第６の例は、「マスタ種類検出手段またはマスタ種類設定手段によって検出または設定されたマスタの種類と、印刷速度設定手段によって設定された印刷速度とに応じて」である。
第７の例は、「マスタ種類検出手段またはマスタ種類設定手段によって検出または設定されたマスタの種類と、用紙種類検出手段または用紙種類設定手段によって検出または設定された印刷用紙の種類とに応じて」である。
第８の例は、「マスタ種類検出手段またはマスタ種類設定手段によって検出または設定されたマスタの種類と、インキ粘度検出手段によって検出されたインキの粘度と、インキ種類検出手段またはインキ種類設定手段によって検出または設定されたインキの種類と、印刷速度設定手段によって設定された印刷速度とに応じて」である。
第９の例は、「マスタ種類検出手段またはマスタ種類設定手段によって検出または設定されたマスタの種類と、インキ粘度検出手段によって検出されたインキの粘度と、インキ種類検出手段またはインキ種類設定手段によって検出または設定されたインキの種類と、印刷速度設定手段によって設定された印刷速度と、用紙種類検出手段または用紙種類設定手段によって検出または設定された印刷用紙の種類とに応じて」である。
上述したことは、請求項５の「印圧用パラメータ」でも同様であり、また後述する請求項６の「穿孔エネルギー用パラメータ」についても同様に多種類の組み合わせがある。
【００１６】
請求項３記載の発明は、請求項１または２記載の印刷装置において、上記印刷装置への電力の供給を断接する電力断接手段と、上記電力断接手段によって上記電力の供給を断った後における、前回の最終印刷時に使用した上記印刷モードおよび印刷条件を記憶する記憶手段とを有し、上記印刷ドラム上の同じ製版済みのマスタを用いて印刷を行う次回の印刷時に、上記前回の最終印刷時に使用した上記印刷モードおよび上記印刷条件を上記記憶手段から選択して印刷を行うことを特徴とする。
【００１７】
請求項４記載の発明は、マスタを製版する製版手段を有し、製版済みのマスタを印刷ドラムの外周面に巻装し、該印刷ドラム上の製版済みのマスタにインキを供給し、押圧手段により上記印刷ドラムに対して印刷用紙を相対的に押し付けて印刷用紙上に印刷画像を形成する印刷装置において、文字画像等に対応した製版動作および印刷動作を行う文字モード、写真画像等に対応した製版動作および印刷動作を行う写真モード、および文字・写真混合画像等に対応した製版動作および印刷動作を行う文字・写真モードのうちの少なくとも２つのモードを設定するモード設定手段と、上記印刷ドラムに対する上記押圧手段の印圧を変化させる印圧可変手段と、上記モード設定手段による上記写真モード設定時には上記文字・写真モード設定時よりも、該文字・写真モード設定時には上記文字モード設定時よりも、それぞれ上記印圧が低くなるように上記印圧可変手段を制御するモード別印圧制御手段とを有することを特徴とする。
【００１８】
請求項５記載の発明は、請求項４記載の印刷装置において、インキの粘度を検出するインキ粘度検出手段、環境温度を検出する環境温度検出手段およびインキの温度を検出するインキ温度検出手段の何れか１つ、インキの種類を検出するインキ種類検出手段およびインキの種類を設定するインキ種類設定手段の何れか１つ、上記印刷装置の印刷速度は可変であり、該印刷速度を選択的に設定する印刷速度設定手段、印刷用紙の種類を検出する用紙種類検出手段および印刷用紙の種類を設定する用紙種類設定手段の何れか１つ、マスタの種類を検出するマスタ種類検出手段およびマスタの種類を設定するマスタ種類設定手段の何れか１つの、上記印圧を介して印刷画質に影響を与える印圧用パラメータを検出または設定する手段を少なくとも１つ有し、上記少なくとも１つの印圧用パラメータを検出または設定する手段によって検出または設定された上記少なくとも１つの印圧用パラメータに応じて、上記印圧が所定の印圧になるように上記印圧可変手段を制御する印圧用パラメータ別印圧制御手段を有することを特徴とする。
【００１９】
請求項６記載の発明は、請求項４または５記載の印刷装置において、上記製版手段は、多数の発熱素子を備えており、インキの粘度を検出するインキ粘度検出手段、環境温度を検出する環境温度検出手段およびインキの温度を検出するインキ温度検出手段の何れか１つ、インキの種類を検出するインキ種類検出手段およびインキの種類を設定するインキ種類設定手段の何れか１つ、上記印刷装置の印刷速度は可変であり、該印刷速度を選択的に設定する印刷速度設定手段、印刷用紙の種類を検出する用紙種類検出手段および印刷用紙の種類を設定する用紙種類設定手段の何れか１つ、マスタの種類を検出するマスタ種類検出手段およびマスタの種類を設定するマスタ種類設定手段の何れか１つの、上記製版手段の発熱素子に供給する穿孔エネルギーを介して印刷画質に影響を与える穿孔エネルギー用パラメータを検出または設定する手段を少なくとも１つ有し、上記少なくとも１つの穿孔エネルギー用パラメータを検出または設定する手段によって検出または設定された上記少なくとも１つの穿孔エネルギー用パラメータに応じて、上記発熱素子に供給する穿孔エネルギーを所定のエネルギーに調整するパラメータ別エネルギー調整手段を有することを特徴とする。
【００２０】
請求項７記載の発明は、請求項４、５または６記載の印刷装置において、上記印刷装置への電力の供給を断接する電力断接手段と、上記電力断接手段により上記電力の供給を断った後における、前回の最終印刷時に使用した上記モードおよび印刷条件を記憶する記憶手段とを有し、上記印刷ドラム上の同じ製版済みのマスタを用いて印刷を行う次回の印刷時に、上記前回の最終印刷時に使用した上記モードおよび上記印刷条件を上記記憶手段から選択して印刷動作を行うことを特徴とする。
【００２１】
「押圧手段により上記印刷ドラムに対して印刷用紙を相対的に押し付けて印刷用紙上に印刷画像を形成する」とは、製版済みのマスタを介して各印刷ドラムに対して圧胴を押し付けて印刷を行う圧胴接離方式と、製版済みのマスタを介して圧胴に対して印刷ドラムを押し付けて印刷を行う印刷ドラム接離方式と、それらの併用方式とがある。圧胴接離方式の具体例としては、例えば特開平１１−３０９９３５号公報の図１等に示されている圧胴およびその接離手段が挙げられる。一方、印刷ドラム接離方式には、印刷ドラムが圧胴側へ移動（印刷ドラム内部のインキローラ等が圧胴側へ突出するタイプも含む）して印刷を行う周知のものが挙げられる。この例としては、例えば、特開平１−２０４７８１号や、特開平３−１９７０７８号あるいは特開平３−２５４９８４号公報等に開示されているような金属製スクリーンを内側から外側に向けて膨出させる、いわゆる中押しローラ方式（インキローラを兼ねるものも含む）のものが挙げられる。
【００２２】
【発明の実施の形態】
以下、図を参照して実施例を含む本発明の実施の形態（以下、「実施形態」という）を説明する。各実施形態等に亘り、同一の機能や形状等を有する部材や構成部品等の構成要素については、同一符号を付すことにより一度説明した後ではその説明を省略する。図および説明の簡明化を図るため、図に表されるべき構成要素であっても、その図において特別に説明する必要がない構成要素は適宜断わりなく省略することがある。従来技術に係る公開特許公報等の図等に示されている符号をそのまま引用する場合には、その引用した符号に括弧を付して表すことにより、後述する実施形態や変形例のそれと区別するものとする。
（実施形態１）
図１ないし図９に、実施形態１を示す。
まず、図１を参照して、本発明に係る印刷装置の一例としてのデジタル感熱式孔版印刷装置（以下、「孔版印刷装置」という）の概略的な全体構成と共に、その動作について簡単に説明する。
図１において、符号５０は、孔版印刷装置の骨組みをなす装置本体フレームを示す。装置本体フレーム５０は、同図の紙面手前側、紙面奥側およびその左右両側に対向配置されていて、図３等においてはその厚さを誇張して示す。図１に示すように、装置本体フレーム５０の上部にある、符号８０で示す部分は原稿読取装置を、その下方の符号９０で示す部分は製版給版装置を、製版給版装置９０の左側に符号１０１で示す部分は多孔性円筒状の印刷ドラムを、印刷ドラム１０１の下方の符号１００で示す部分は印圧ドラム装置を、印刷ドラム１０１の左側に符号７０で示す部分は排版装置を、製版給版装置９０の下方の符号１１０で示す部分は給紙装置を、印圧ドラム装置１００の左側であって排版装置７０の下方の符号５５で示す部分は排紙装置を、それぞれ示している。
【００２３】
原稿読取装置８０は、図示しない原稿載置台上から移送される原稿６０の表面の画像を読み取る機能・構成を、製版給版装置９０は、ロール状に巻かれたマスタ６１を製版し給版搬送する機能・構成を、印刷ドラム１０１は、製版済みのマスタ６１をその外周面に巻装する機能・構成を、印圧ドラム装置１００は、印刷ドラム１０１上の製版済みのマスタ６１にインキを供給し、後述する押圧手段により印刷ドラム１０１に対して印刷用紙６２を押し付けて印刷用紙６２上に印刷画像を形成する機能・構成を、排版装置７０は、印刷ドラム１０１の外周面から使用済みのマスタ６１を剥ぎ取りこれを排版ボックス７４内に排出・排版する機能・構成を、給紙装置１１０は、給紙台５１上に積載された印刷用紙６２を印圧ドラム装置１００に給送する機能・構成を、排紙装置５５は、印圧ドラム装置１００にて印刷された印刷用紙６２を排紙台５２に排出する機能・構成を、それぞれ有する。図１に示す排版装置７０側の装置本体フレーム５０には、この孔版印刷装置の上記各装置等への電力の供給を断接する電力断接手段としての電源スイッチ５８が配置されている。
【００２４】
次に、この孔版印刷装置の動作について説明する。
先ず、使用者が、原稿読取装置８０の上部に配置された図示しない原稿載置台に印刷すべき画像を持った原稿６０をセットし、図２に示す操作パネル３０の製版スタートキー４４を押す。この製版スタートキー４４の押下に伴い、製版スタート信号が生成されこれがトリガとなって、先ず排版工程が実行される。すなわち、この状態においては、印刷ドラム１０１の外周面に前回の印刷で使用された使用済みのマスタ６１が装着されたまま残っている。印刷ドラム１０１は、後で詳述する図４に示す駆動機構１５０を介してメインモータ１５１に連結されていて、メインモータ１５１によって回転駆動される。
【００２５】
印刷ドラム１０１が図中矢印方向Ａと反対方向に回転し、印刷ドラム１０１の外周面に装着されていた使用済みのマスタ６１の後端部が排版装置７０の排版剥離ローラ対７１ａ，７１ｂに近づくと、同ローラ対７１ａ，７１ｂは回転しつつ一方の排版剥離ローラ７１ｂで使用済みのマスタ６１の後端部をすくい上げ、排版剥離ローラ対７１ａ，７１ｂの左方に配設された排版コロ対７３ａ，７３ｂと排版剥離ローラ対７１ａ，７１ｂとの間に掛け渡された排版搬送ベルト対７２ａ，７２ｂで構成される排版剥離搬送装置により、使用済みのマスタ６１は印刷ドラム１０１の外周面から漸次剥され矢印方向Ｙ１方向へ搬送されつつ排版ボックス７４内へ排出されていわゆる排版が終了する。このとき印刷ドラム１０１は反時計回り方向への回転を続けている。排出された使用済みのマスタ６１は、その後、圧縮板７５によって排版ボックス７４の内部で圧縮される。
【００２６】
排版工程と並行して、原稿読取装置８０が作動して原稿読み取りが行われる。すなわち、上記原稿載置台に載置された原稿６０は、分離ローラ８１、前原稿搬送ローラ対８２ａ，８２ｂおよび後原稿搬送ローラ対８３ａ，８３ｂのそれぞれの回転により矢印Ｙ２からＹ３方向（以下、「原稿搬送方向Ｙ２」という）に搬送されつつ露光読み取りに供される。このとき、原稿６０が多数枚あるときは、分離ブレード８４の作用でその最下部の原稿のみが搬送される。
上側の後原稿搬送ローラ８３ａは、例えばステッピングモータからなる原稿搬送モータ８３Ａによって回転駆動される。上側の前原稿搬送ローラ８２ａは、上側の搬送ローラ８３ａと搬送ローラ８２ａとの間に掛け渡されたタイミングベルト（図示せず）を介して原稿搬送モータ８３Ａによって回転駆動され、各ローラ８２ｂ，８３ｂはそれぞれ従動回転する。
【００２７】
原稿６０の画像読み取りは、コンタクトガラス８５上を搬送されつつ、蛍光灯８６により照明された原稿６０の表面からの反射光を、ミラー８７で反射させレンズ８８を通して、ＣＣＤ（電荷結合素子等の光電変換素子）からなる画像センサ８９に入射させることにより行われる。その画像が読み取られた原稿６０は原稿トレイ８０Ａ上に排出される。
原稿読取装置８０には、多色重ね刷り印刷に必要な色分解のための諸機能を有する構成、例えば特開昭６４−１８６８２号公報記載の複数の色フィルターを切換可能に制御できるフィルターユニットと同様の機能および構成を有するものが、ミラー８７とレンズ８８との間の光路上に配設されている。
【００２８】
図１および図５に示すように、原稿６０の光学情報は画像センサ８９で光電変換され、そのアナログの電気信号はアナログ／デジタル（Ａ／Ｄ）変換装置５６に入力されデジタルの画像信号に変換される。このデジタルの画像信号は画像処理装置５７で画像処理を施され、こうして画像処理を施された画像信号は、図示しない製版制御部を含む制御装置６３に入力される。上記製版制御部は、主として図示しないサーマルヘッド駆動回路を介して製版給版装置９０のサーマルヘッド９１を制御するものであり、制御装置６３の一部を構成している。なお、制御装置６３へ入力される画像信号は上記ＣＣＤで読み取ったものに限らず、例えば密着イメージセンサ（ＣＩＳ）等からのものでも構わない。
制御装置６３の上記製版制御部に入力した画像信号は、図５に示すような制御構成によって後述するような本発明に特有の各種制御が実行される他、既に公知であり図５に示すブロック図でその図示を省略している一般的諸制御手段による諸制御、すなわち熱履歴制御手段による熱履歴制御やコモンドロップ補正制御手段によるコモンドロップ補正制御あるいはサーマルヘッド温度補正制御手段によるサーマルヘッド温度補正制御等を適宜施されて、サーマルヘッド駆動用の信号として通電信号、ラッチ信号、クロック信号、画像データ信号等を生成されて、サーマルヘッド駆動回路（図示せず）に送信される。
【００２９】
一方、このような原稿走査および画像読み取り動作と並行して、デジタル信号化された画像情報に基づき製版および給版工程が行われる。すなわち上記製版スタート信号がトリガとなって、例えばステッピングモータからなるマスタ搬送モータ９２Ａが回転駆動されることにより、図示しないマスタ支持部材を介してマスタ６１を繰り出し可能にセットされ、芯管６１ａの周りにロール状に巻かれて形成されたマスタロール６１ｂからマスタ６１が引き出される。引き出されたマスタ６１は、マスタ６１を介してサーマルヘッド９１に押し付けられているマスタ搬送手段としてのプラテンローラ９２および送りローラ対９３ａ，９３ｂの一定速度の回転により、図中矢印Ｙで示す副走査方向Ｙ（以下、「マスタ搬送方向Ｙ」というときがある）の下流側に搬送される。搬送されるマスタ６１に対して、サーマルヘッド９１の主走査方向にライン状に並んで配列された多数の微小な発熱素子９１ａが、制御装置６３から送られてくるデジタルの画像データ信号に応じて各々選択的に発熱し、発熱した発熱素子９１ａに接触しているマスタ６１の熱可塑性樹脂フィルム部分が加熱溶融穿孔される。このようにして、画像情報に応じたマスタ６１の位置選択的な溶融穿孔により、画像情報が穿孔パターンとしてマスタ６１に書き込まれる。
【００３０】
画像情報が書き込まれた製版済みのマスタ６１の先端は、給版ローラ対９４ａ，９４ｂにより印刷ドラム１０１の外周部側へ向かって送り出され、図示しない給版ガイド板により進行方向を下方へ変えられ、図１に二点鎖線で示す給版位置状態にある印刷ドラム１０１の拡開したマスタクランパ１０２へ向かって垂れ下がる。このとき印刷ドラム１０１は、排版工程により使用済みのマスタ６１を既に除去されている。
【００３１】
そして、装置本体フレーム５０側に配設されマスタクランパ１０２を開閉する図示しない開閉装置の作動により、製版済みのマスタ６１の先端が一定のタイミングでマスタクランパ１０２によってクランプ・保持されると、印刷ドラム１０１は図中矢印Ａ方向（時計回り方向）に回転しつつ外周面に製版済みのマスタ６１を徐々に巻き付けていく。製版済みのマスタ６１の後端部は、製版完了後にカッタ９５により一定の長さに切断されて、一版の製版済みのマスタ６１が印刷ドラム１０１の外周面に完全に巻装された段階で製版および給版工程が終了する。
【００３２】
その後、プラテンローラ９２、送りローラ対９３ａ，９３ｂおよび給版ローラ対９４ａ，９４ｂの回転により、切断された上流側の残りのマスタ６１の先端が給版ローラ対９４ａ，９４ｂのニップ部に向けて搬送される。こうして搬送されたマスタ６１の先端が図示しないマスタ先端検知センサによって検知され、マスタ６１の先端が初期位置を占めたと判断されると、プラテンローラ９２、送りローラ対９３ａ，９３ｂおよび給版ローラ対９４ａ，９４ｂの回転が停止し、次の製版に備えた製版待機状態になる。マスタ６１の初期位置は、例えば、給版ローラ対９４ａ，９４ｂのニップ部で挟持された位置から少し前方にはみ出た位置に予め設定されている。
【００３３】
次いで、印刷工程が開始される。先ず、給紙台５１上に積載された印刷用紙６２の内の最上位の１枚が、給紙コロ１１１および分離コロ対１１２ａ，１１２ｂによりレジストローラ対１１３ａ，１１３ｂに向けて矢印Ｙ４方向（用紙搬送方向Ｙ４という）に給送され、さらにレジストローラ対１１３ａ，１１３ｂにより印刷ドラム１０１の回転と同期した所定のタイミングで印圧ドラム装置１００における印刷ドラム１０１とプレスローラ１０３との間に給送される。このプレスローラ１０３は、後述するプレスローラ変位手段により印刷ドラム１０１の外周面に接離自在になされており、外周面に製版済みのマスタ６１が巻装された印刷ドラム１０１に対して給送されてきた印刷用紙６２を押し付けて印刷画像を印刷用紙６２上に形成する押圧手段としての機能を有する。そして、給送されてきた印刷用紙６２が、印刷ドラム１０１とプレスローラ１０３との間に挿入されてくると、印刷ドラム１０１の外周面下方に離間していたプレスローラ１０３が揺動・上昇されることにより、印刷ドラム１０１の外周面に巻装されている製版済みのマスタ６１に押し付けられる。こうして、印刷ドラム１０１の多孔部から滲み出たインキの粘性による付着力によって、製版済みのマスタ６１が印刷ドラム１０１の外周面上に密着すると同時に、さらに製版済みのマスタ６１の穿孔パターン部からインキが滲み出し、この滲み出たインキが印刷用紙６２の表面に転移されて、印刷画像が形成される。
【００３４】
このとき、印刷ドラム１０１の内周側では、図３に詳しく示すインキ供給ディストリビュータ１２３からインキローラ１２０とドクターローラ１２１との間に形成されるインキ溜まり１２２にインキが供給され、印刷ドラム１０１の回転方向と同一方向に、かつ、印刷ドラム１０１の回転速度と同期して回転しながら内周面に転接するインキローラ１２０により、インキが印刷ドラム１０１の内周側に供給される。
【００３５】
印圧ドラム装置１００において印刷画像が形成された印刷用紙６２は、排紙装置５５における排紙剥離爪１１４により印刷ドラム１０１から剥がされ、吸引用ファン１１８に吸引されつつ、吸着排紙入口ローラ１１５および吸着排紙出口ローラ１１６に掛け渡された多孔性の搬送ベルト１１７に吸着され、この搬送ベルト１１７の反時計回り方向の回転により、矢印Ｙ５のように排紙台５２へ向かって搬送され、排紙台５２上に順次排出積載される。このようにしていわゆる版付け印刷が終了する。なお、説明が前後するが、版付け印刷（印刷ドラム１０１外周面上への製版済みのマスタ６１を滲み出たインキの粘着力で密着させるための印刷をいう）時の印刷速度は、例えば１６〜２０枚／ｍｉｎ（分）というような低速度に設定される。
【００３６】
版付け印刷終了後、プレスローラ１０３は印刷ドラム１０１から離間し、印刷ドラム１０１は図１においてマスタクランパ１０２が略真上となる初期位置に復帰して、印刷待機状態となる。
【００３７】
次に、操作パネル３０の印刷速度設定キー４７（速度ダウンキー４７ａまたは速度アップキー４７ｂ）を押下することにより、所望する印刷速度値を設定し、これに前後して同図に示す操作パネル３０のテンキー４６で印刷枚数をセットし、同様に同図に示す操作パネル３０の印刷スタートキー４５を押すと上記版付け印刷と同様の工程で、給紙、印刷および排紙の各工程が設定された印刷速度でセットした印刷枚数分繰り返して行われ、孔版印刷の全工程が終了する。ここでは、印刷速度設定キー４７を押下しなかったので、印刷速度が後述する標準印刷速度：３速に自動的に設定される。
【００３８】
以下、操作パネル３０、製版給版装置９０、印圧ドラム装置１００および制御装置６３の細部構成について、順次説明する。
図２に示すように、孔版印刷装置における原稿読取装置８０の上部には、この孔版印刷装置を操作するための操作パネル３０が配置されている。操作パネル３０には、文字画像等に対応した製版動作および印刷動作（以下、「製版・印刷動作」という）を行う文字モードを設定する文字モード設定キー３１と、写真画像等に対応した製版・印刷動作を行う写真モードを設定する写真モード設定キー３３と、文字画像および写真画像が混合した文字・写真混合画像に対応した製版・印刷動作を行う文字・写真モードを設定する文字・写真モード設定キー３２と、文字モード設定キー３１の押下によって文字モードが設定されたことを表示する文字モード表示ランプ３４ａと、写真モード設定キー３３の押下によって写真モードが設定されたことを表示する写真モード表示ランプ３４ｃと、文字・写真モード設定キー３２の押下によって文字・写真モードが設定されたことを表示する文字・写真モード表示ランプ３４ｂとが配置されている。
文字モード設定キー３１、文字・写真モード設定キー３２および写真モード設定キー３３は、文字モード、文字・写真モードおよび写真モードのうちの少なくとも２つのモードを選択的に設定するためのモード設定手段を構成している。
【００３９】
文字モード表示ランプ３４ａ、文字・写真モード表示ランプ３４ｂおよび写真モード表示ランプ３４ｃは、例えばＬＥＤ（発光ダイオード）からなり、モード表示器３４を構成している。モード表示器３４は、上記モード設定手段（文字モード設定キー３１、文字・写真モード設定キー３２、写真モード設定キー３３）により設定されたモードを表示するモード表示手段としての機能を有する。これにより、使用者が選択したモードがモード表示器３４にて目視確認できるようになっている。
上記モード設定手段は、各モード設定キー３１，３２，３３に限らず、例えば後述する印刷速度設定キー４７の速度ダウンキー４７ａおよび速度アップキー４７ｂのような２つのキーで設定するもので、例えば各モード表示ランプ３４ａ，３４ｂ，３４ｃの点灯表示を切り換えるものでも構わない。モード表示手段は、ＬＥＤに限らず、ＬＣＤ（液晶表示装置）でも構わない。
【００４０】
また、操作パネル３０には、原稿画像の画像読み取りから版付け印刷に至る各動作の起動を設定・入力する製版スタートキー４４と、テンキー４６で設定・入力された印刷枚数の印刷動作の起動を行う印刷スタートキー４５と、印刷枚数等を設定・入力するテンキー４６と、印刷速度レベル１〜５の５段階の印刷速度の中から１つの印刷速度を選択的に設定するための印刷速度設定手段としての速度ダウンキー４７ａおよび速度アップキー４７ｂからなる印刷速度設定キー４７と、速度ダウンキー４７ａまたは速度アップキー４７ｂにより設定された設定印刷速度を表示するためのＬＥＤランプ群からなる印刷速度表示手段としての速度表示器４８と、テンキー４６の押下により設定・入力された印刷枚数等を表示する７セグメントの表示部４９Ａと、孔版印刷装置の操作順序や、マスタ６１や印刷用紙６２がジャムしたことを文字表示したりその発生箇所を絵表示したりする液晶表示部４９Ｂ等とが配置されている。
【００４１】
速度表示器４８は、速度ダウンキー４７ａまたは速度アップキー４７ｂの１回ごとの押下により、上記印刷速度を１から５までの５段階の設定印刷速度（以下、「設定印刷速度：１速〜５速」という）に、切り換えられる印刷速度を点灯表示する。速度ダウンキー４７ａまたは速度アップキー４７ｂは、１回押下するごとに、設定印刷速度：１速〜５速の何れか１つの設定印刷速度に対応した各ＬＥＤランプの点灯を順次切り換える機能も有している。これにより、使用者が選択した設定印刷速度が速度表示器４８にて目視確認できるようになっている。
ハッチングを施した「設定印刷速度：３速」は、通常使用される印刷速度に対応した標準印刷速度であって、速度ダウンキー４７ａまたは速度アップキー４７ｂを押下しなかった場合に自動的に設定されるようになっている。
【００４２】
上記モード設定手段は、上記した各モード設定キー３１，３２，３３に限らず、単一のキーを設けてこれを押すごとに順次各モードを選択・設定すべく切り換えるようにしてもよい。また、上記モード表示手段は、上記した各モード表示ランプ３４ａ，３４ｂ，３４ｃで点灯表示することに限らず、例えば点滅表示したり、液晶表示部４９Ｂに単独でもしくは各モード表示ランプ３４ａ，３４ｂ，３４ｃと併用で表示したり、ＬＣＤやタッチパネル方式等のものでも構わない。また、ＬＥＤに代えてブザー等の報知手段で使用者に吹鳴・報知したりしてもよいし、あるいはこれらを適宜組み合わせてもよい。液晶表示部４９Ｂには、例えば、後述する変形例等で説明するマスタ６１の種類、インキの種類、印刷用紙６２の種類等を適宜表示してもよいことを付記しておく。
【００４３】
製版給版装置９０について補足説明する。
プラテンローラ９２は、例えば本願出願人が提案した特開平１１−７７９４９号公報の図２に示されている機構と同様の回転伝達機構を介して、駆動手段としてのマスタ搬送モータ９２Ａに連結されていて、マスタ搬送モータ９２Ａにより回転される。マスタ搬送モータ９２Ａの回転駆動力は、上記回転伝達機構を介して、送りローラ対９３ａ，９３ｂおよび給版ローラ対９４ａ，９４ｂに伝達されるようになっている。
【００４４】
サーマルヘッド９１は、上記したように画像センサ８９、Ａ／Ｄ変換装置５６、画像処理装置５７を経由して、あるいはパソコン等からの画像信号を受信するための図示しないパソコン・コントローラを経由して、それぞれ制御装置６３の上記製版制御部で処理されて送出されるデジタルの画像データ信号を含むサーマルヘッド駆動用の信号に基づいて、多数の発熱素子９１ａを選択的に加熱することにより、マスタ６１を位置選択的に加熱溶融穿孔し製版する製版手段としての機能を有する。サーマルヘッド９１は、図示しない接離手段により、マスタ６１を介してプラテンローラ９２に接離自在となっている。
【００４５】
この孔版印刷装置では、サーマルヘッド９１としては、一般的に薄膜サーマルヘッドのうちで平面型サーマルヘッドと呼ばれているものを用いているが、これに限らず、例えば端面型サーマルヘッド、リアルエッジ型サーマルヘッドもしくはコーナーエッジ型サーマルヘッドを用いてもよい。また、サーマルヘッド９１の発熱素子９１ａとしては、通常、その平面視形状が矩形型のものを用いているが、熱集中型でもよい。以下、サーマルヘッド９１としては、実施例的には、平面型サーマルヘッドで、その発熱素子９１ａの矩形型のもので、大きさ・仕様としてはＡ３サイズ、解像度６００ＤＰＩ（ドット／インチ）で、主走査方向Ｓに多数の発熱素子９１ａを一列に配設したものを使用しているものとして説明する。
【００４６】
マスタ６１は、連続シート状をなし、例えば、厚さが０．５〜５μｍのポリエステルテレフタレート（ＰＥＴ）系の熱可塑性樹脂フィルムと多孔質支持体としての和紙繊維とを接着剤で貼り合わせたものが用いられる。
マスタ６１は、上記したものの他、例えば厚さが０．５〜３μｍの、実質的に熱可塑性樹脂フィルムのみからなるマスタや、マスタ６１の多孔質支持体の厚さを薄くしたマスタであってもよく、例えば本願出願人が提案した特開平１１−７７９４９号公報に記載されているような合成繊維ベースマスタでもよいし、また合成樹脂フィルムに溶融した樹脂を塗布して合成樹脂フィルムに樹脂膜を一体的に形成したようなマスタも使用することができる。
【００４７】
上述したとおり、製版給版装置９０は、サーマルヘッド９１の主走査方向Ｓに配列された複数の発熱素子９１ａの部分をマスタ６１の熱可塑性樹脂フィルムに接触させ、主走査方向Ｓと直交する副走査方向Ｙにマスタ６１を所定の副走査送りピッチで移動させ、画像データに応じての個々の発熱素子９１ａの位置選択的な加熱によりマスタ６１のフィルムを溶融穿孔してドット状の製版画像をマスタ６１に形成する装置である。
マスタ６１を副走査方向Ｙに搬送する送り動作は、上記例のように所定の送りピッチで間欠的に移動するものに限らず、連続的に送るようにしてもよい。また、原稿読取装置８０に限らず、原稿６０をコンタクトガラス上に載置・固定し、蛍光灯及びミラー等を具備した走査光学系を駆動モータにより移動させつつ原稿の読み取りを行うスキャナ移動方式を採用してもよい。この場合、上記走査光学系の移動速度を、副走査方向Ｙの解像度に対応した所定の送りピッチに変えるように上記駆動モータを制御すればよい。
【００４８】
図３および図４等を参照して、印圧ドラム装置１００について説明する。
印圧ドラム装置１００は、印刷ドラム１０１と、印刷ドラム１０１上の製版済みのマスタ６１にインキを供給するためのインキ供給装置１１９と、押圧手段としてのプレスローラ１０３を、印刷ドラム１０１の外周面に押圧する印圧位置と、この印圧位置から離間した非印圧位置とに選択的に変位させるプレスローラ変位手段２２と、印刷ドラム１０１に対するプレスローラ１０３の押圧力（以下、「印圧」という）を変化させる印圧可変手段２０と、印刷ドラム１０１を回転させると共に、上記印圧位置と上記非印圧位置とにプレスローラ１０３を印刷ドラム１０１の回転に同期させて揺動・変位させる駆動機構１５０等とから主に構成される。
【００４９】
印刷ドラム１０１は、支軸１０４方向に延在して設けられていて、図７にその一部を拡大して示すように、インキ通過性の多数かつ微細な開孔部１０１ｃが形成された樹脂あるいは金属製の多孔性支持円筒体１０１ａと、その外周面に巻き付けられた複数層のメッシュスクリーン１０１ｂとの２層構造からなる、版胴とも呼ばれる外周部を有する。多孔性支持円筒体１０１ａは、その円周上の所定の範囲に亘り開孔部１０１ｃが形成された印刷部位（印刷可能領域）と、開孔部１０１ｃが形成されていないインキ不通過性の非印刷部位（非印刷領域）とからなる。印刷ドラム１０１の上記非印刷部位は、支軸１０４方向の両端縁部にも所定の範囲に亘り形成されている。
【００５０】
図１、図３および図７に示すように、インキ供給装置１１９は、印刷ドラム１０１の内周面にインキを供給するインキローラ１２０と、このインキローラ１２０と微小間隙をあけて平行に配置され、インキローラ１２０との間に断面楔形状のインキ溜まり１２２を形成するドクターローラ１２１と、インキ溜まり１２２へインキを供給するインキ供給ディストリビュータ１２３とから主に構成される。図３および図７において、符号１２４は、インキ溜まり１２２のインキ量を検知するインキ量検知センサの一部を示しており、インキ量検知センサ１２４は、インキ溜まり１２２のインキにインキ検知針部を浸漬して静電容量式にそのインキ量を検知する周知のものである。
インキ供給装置１１９周りの構成は、例えば特開平５−２２９２４３号公報の図２および図７に記載されているものと略同様であって、インキローラ１２０およびドクターローラ１２１は、支軸１０４の左右両端部に垂下された一対のインキローラ側板にそれぞれ回転可能に支持されている。
【００５１】
図４において、符号１４０は、図１に示す装置本体フレーム５０に対して印刷ドラム１０１等が着脱自在に構成されたドラムユニットを示す。ドラムユニット１４０は、インキ供給装置１１９がその内部に配設された印刷ドラム１０１と、印刷ドラム１０１を回転自在に支持する支軸１０４と、長板状の把持フレーム１０１Ｈの両端部にそれぞれ垂設され、支軸１０４を介して印刷ドラム１０１を回転自在に支持する後フレーム１０１Ａ及び前フレーム１０１Ｂと、前フレーム１０１Ｂの外側に固設されインキ供給ディストリビュータ１２３へインキを送出するインキポンプ装置およびインキ装置配管部（共に図示せず）等とから構成される。インキとしては、例えばＷ／Ｏ型のエマルションインキを用いている。
【００５２】
プレスローラ１０３は、その内周部が芯金で、外周部が耐油性を備えたゴム等の弾性体でそれぞれ形成されており、印刷ドラム１０１の軸線方向と平行に延在して設けられていて、上記芯金の両端にはローラ軸１０３ａが一体的にそれぞれ形成されている周知の構造をなす。
プレスローラ変位手段２２は、左右両側のローラ軸１０３ａと略平行に延在して設けられ、その両端部が左右一対の装置本体フレーム５０に所定角度回動可能に支持された水平軸３と、その自由端が水平軸３の周りに揺動可能であってプレスローラ１０３のローラ軸１０３ａの両端を回転可能に支持し、かつ、その基端が水平軸３の両端部近傍において所定角度回動可能に支持されている左右一対のアーム左２ｂおよびアーム右２ａと、プレスローラ１０３と水平軸３との略中央部におけるアーム対左・右２ｂ，２ａに挿通されアーム対左・右２ｂ，２ａを互いに連結する中間連結ステー１と、その基端が水平軸３の中央部に固着されその自由端が中間連結ステー１の中央部をわずかな隙間をもって挾持し、水平軸３における所定角度の回動を中間連結ステー１に伝達する上下作動アーム４と、その基端部が図３における右側の装置本体フレーム５０における水平軸３端に一体的に取り付けられその自由端部が水平軸３の周りに揺動可能な、カムフォロア５ａを有するスプリング取付けアーム５と、このスプリング取付けアーム５の上記自由端部にその一端が係止され印刷ドラム１０１の外周面にプレスローラ１０３を押し付ける向きにスプリング取付けアーム５を揺動付勢するスプリング６（引張りばね）と、図３における右側の装置本体フレーム５０にカム軸１８ａをもって回転自在に支持されスプリング取付けアーム５のカムフォロア５ａに選択的に係合する印圧カム１８とから主に構成される。
【００５３】
上記したように、中間連結ステー１と上下作動アーム４との間に上記したわずかな隙間が設けられていることによって、印圧が掛かったときのプレスローラ１０３の左右バランスを調整することが可能な機構となっており、プレスローラ変位手段２２は、いわゆる「やじろべえの原理」を利用しているものである。
中間連結ステー１は、断面中空状角形に形成された金属でできていて、アーム対左・右２ｂ，２ａに挿通された後、アーム対左・右２ｂ，２ａの外壁面に近接する部位において図示しない抜け止め用のピンが打ち込まれることで、用紙幅方向Ｘの左右に対する抜け止めがなされる。印圧カム１８は、カム軸１８ａをもって、図３における右側の装置本体フレーム５０に回動自在に支持されている。  スプリング取付けアーム５は、三角形の板状をなし、印圧カム１８の輪郭周面にカムフォロア５ａを介して選択的に係合するようになっている。上下作動アーム４と水平軸３とは、図示しない固定ピンが圧入装着されることにより一体的に固定されている。
【００５４】
駆動機構１５０は、図４に示すように、印刷ドラム１０１およびプレスローラ１０３をそれぞれ回転駆動および揺動するための、装置本体フレーム５０に固定された正転逆転可能な駆動手段としてのメインモータ１５１と、このメインモータ１５１とカム軸１８ａとの間に介装された減速手段１５２と、装置本体フレーム５０内に装着された印刷ドラム１０１とカム軸１８ａとの間に介装された同期手段１５７とから主に構成される。
【００５５】
減速手段１５２は、メインモータ１５１の出力軸１５１ａ端部に取付けられた歯付きの駆動プーリ１５１ｂと、図３における右側の装置本体フレーム５０にプーリ軸１５３ａをもって回転自在に支持された歯付きのプーリ１５３と、駆動プーリ１５１ｂとプーリ１５３との間に掛け渡された歯付きのベルト１５５と、プーリ１５３のプーリ軸１５３ａと同軸に取付けられた小径ギヤ１５４と、カム軸１８ａと同軸に取付けられ小径ギヤ１５４と噛み合う大径ギヤ１５６とから構成される。
【００５６】
同期手段１５７は、印圧カム１８と大径ギヤ１５６との間のカム軸１８ａ上に取付けられた歯付きの下プーリ１５８と、図３における右側の装置本体フレーム５０にプーリ軸１６０ａをもって回動自在に支持された歯付きの上プーリ１６０と、下プーリ１５８と上プーリ１６０との間に掛け渡された歯付きのメインベルト１５９と、プーリ軸１６０ａの端部に取付けられた脱着ギヤ１６１とから主に構成される。
【００５７】
下プーリ１５８と上プーリ１６０とは、同径の歯付きの外周部を有していて、それぞれの回転比が１：１となるようにメインベルト１５９で連結され回動されるようになっている。印圧カム１８は、装置の組立て時において、印刷ドラム１０１の開孔範囲である印刷部位に対応した印圧範囲とプレスローラ１０３の上記印圧位置とを考慮して、印刷ドラム１０１の回転とのタイミングを取ってカム軸１８ａに固定されている。一方、印刷ドラム１０１の右端部と後述する後フレーム１０１Ａとの間の支軸１０４上には、脱着ギヤ１６１と選択的に噛み合い脱着ギヤ１６１と同歯数を有するドラムギヤ１６２が回動自在に支持されている。ドラムギヤ１６２は、後端板１０１Ｅに一体的に固着されていて、印刷ドラム１０１と一緒に回転する。
【００５８】
一方、メインモータ１５１の出力軸１５１ａには、周知のフォトロータリエンコーダからなるスリット円板１６３が取付けられている。スリット円板１６３近傍の図３における右側の装置本体フレーム５０には、スリット円板１６３を所定の間隔をもって挾み付けるフォトインタラプタ（透過型光学センサ）からなる印刷速度センサ１６４が配設されている。メインモータ１５１の回転駆動によるスリット円板１６３の回転動作に協働して発生された所定のパルスを印刷速度センサ１６４で検出することにより、印刷ドラム１０１の回転速度が検出されるようになっている。これにより、メインモータ１５１を介して印刷ドラム１０１の回転速度の制御がなされるようになっている。メインベルト１５９の略中央部に近接した左側の装置本体フレーム５０には、この装置本体フレーム５０に移動可能かつ回動自在に支持されたテンションローラ１６５が設けられていて、このテンションローラ１６５は、メインベルト１５９の略中央部に圧接するようになっている。
【００５９】
ここで、駆動機構１５０の動作を前もって簡単に述べておく。まず、メインモータ１５１が回転駆動されることにより、駆動プーリ１５１ｂと減速手段１５２のベルト１５５を介してプーリ１５３および小径ギヤ１５４と、大径ギヤ１５６とがそれぞれこの順に減速・回転される。そして、大径ギヤ１５６の回転と共に印圧カム１８および同期手段１５７の下プーリ１５８が回転され、さらにメインベルト１５９を介して脱着ギヤ１６１が回転され、これによりドラムギヤ１６２が回転される。上記したように、下プーリ１５８と上プーリ１６０との、脱着ギヤ１６１とドラムギヤ１６２との各々の回転比が、１：１であることにより、印圧カム１８と印刷ドラム１０１とは、１：１の回転比で同期して回転されることになり、結局、駆動機構１５０の駆動によって、印刷ドラム１０１が回転されると共に、印圧カム１８の大径部とカムフォロア５ａとの選択的な係合を介して、プレスローラ１０３が上記印圧位置と上記非印圧位置とに印刷ドラム１０１の上記回転動作に同期して揺動・変位される。
【００６０】
図３に示すように、印圧可変手段２０は、装置本体フレーム５０に図示しない不動部材を介して固着されその出力軸にウォーム１５が取付けられ正逆転可能な印圧制御モータ１４と、スプリング６の他端が係止されていて、かつ、装置本体フレーム５０に形成された溝（図示せず）を介して用紙搬送方向Ｙ４の前後方向にのみ進退自在に支持されその内周部に雌ネジが形成された可動軸７と、可動軸７の雌ネジと螺合する雄ネジがその外周部に形成された回転自在な回転軸１０と、この回転軸１０に固着されウォーム１５と常時噛み合うウォームホイール１１と、回転軸１０の一端に固着されウォームホイール１１の回転数を検出するためのエンコーダ１２と、装置本体フレーム５０におけるエンコーダ１２近傍の位置に図示しない不動部材を介して取り付けられエンコーダ１２を所定の間隔をもって挾み付けるスプリング長さ検知センサ１３と、可動軸７の外周部から外方に向かって突出形成された遮光板８と、装置本体フレーム５０における遮光板８近傍の位置に図示しない不動部材を介して取り付けられていて、所定の間隔をもって遮光板８を挾み付けてエンコーダ１２のホームポジション（印圧標準状態を示す位置）を検知するための印圧ホームポジションセンサ９とから主に構成される。
【００６１】
印圧制御モータ１４は、スプリング６の引張り長さの変化、すなわちスプリング６の張力を変化することを介して、印刷ドラム１０１に対するプレスローラ１０３の印圧を変化するための駆動源としての機能を有する。スプリング長さ検知センサ１３および印圧ホームポジションセンサ９は、透過型の光学センサである。エンコーダ１２は、スリット円板を有して構成されている周知のフォトエンコーダであり、エンコーダ１２およびスプリング長さ検知センサ１３の協働により、ウォームホイール１１の回転数、すなわち用紙搬送方向Ｙ４の前後における可動軸７の進退量、つまりスプリング６の引張り長さの変位量を検出することができる。エンコーダ１２およびスプリング長さ検知センサ１３は、インクリメンタル型のパルスエンコーダを構成している。
【００６２】
プレスローラ変位手段２２および印圧可変手段２０が上記のとおり構成されていることにより、スプリング６の両端は、スプリング取付けアーム５の上記自由端部および可動軸７で変位可能に係止されていることになる。それ故に、印圧制御モータ１４の正転あるいは逆転の回転駆動により、印圧制御モータ１４の回動量がウォーム１５からウォームホイール１１に伝達され、さらに上記ネジ機構によって可動軸７における用紙搬送方向Ｙ４の前若しくは後方向への直線運動に変換されることで、可動軸７が用紙搬送方向Ｙ４の前若しくは後方向へ移動され、これによりスプリング６の引張り長さが変化されることとなって、スプリング６の張力が可変されるため、印刷ドラム１０１に対するプレスローラ１０３の印圧が変化される。本実施形態１の場合、上記した印圧制御は、常に、印圧可変手段２０のエンコーダ１２のホームポジションから開始されるようになっている。
【００６３】
次に、図５を参照して、孔版印刷装置の主な制御構成等について説明する。  後述する実施形態１に特有の動作、すなわち文字モードや文字・写真モードや写真モードによる動作等は、図５に示す制御装置６３によって制御される。制御装置６３は、それぞれ図示しない、ＣＰＵ（中央演算処理装置）、Ｉ／Ｏ（入出力）ポート、ＲＯＭ（読み出し専用記憶装置）、電池付きのＲＡＭ（読み書き可能な記憶装置）およびタイマ等を備え、それらが信号バスによって接続された構成を有するマイクロコンピュータを複数具備している。実施形態１の制御構成は、図５に示したように、本発明に係る製版手段としてのサーマルヘッド９１を備えた製版給版装置９０を具備するものとして、最も簡単な制御構成をなす（請求項４および７参照）。
【００６４】
制御装置６３は、本発明の特有の動作を含め、図１に示した孔版印刷装置の全体の動作を制御する構成を具備するが、図５では図の簡明化を図るため、主に本実施形態１における文字モードや文字・写真モードや写真モードに密接に関連する構成だけを図示しており、これは後述する実施形態や変形例等でも同様である。また、後述する各実施形態や変形例等においても、制御装置６３と同様の複数のマイクロコンピュータを具備していて、主としてその制御機能が異なることを付記しておく。
【００６５】
制御装置６３は、上記入力ポートおよび図示しないセンサ回路等を介して画像処理装置５７、電源スイッチ５８、スプリング長さ検知センサ１３、印圧ホームポジションセンサ９や操作パネル３０の上記各種キー（文字モード設定キー３１、文字・写真モード設定キー３２、写真モード設定キー３３）等に電気的に接続されていて、これらからのデータ信号やオン／オフ信号を受信する。また、制御装置６３は、上記出力ポートおよびＬＥＤ駆動回路（図示せず）やＬＣＤ駆動回路（図示せず）を介して操作パネル３０の上記各種表示器（モード表示器３４、印刷速度表示器４７）等や液晶表示部４９Ｂに、上記出力ポートおよびサーマルヘッド駆動回路（図示せず）を介してサーマルヘッド９１に、それぞれ上記出力ポートおよび各種モータ駆動回路（図示せず）を介して印圧制御モータ１４、メインモータ１５１にそれぞれ電気的に接続されている。制御装置６３は、上記各ＬＥＤ駆動回路、上記ＬＣＤ駆動回路、上記サーマルヘッド駆動回路や上記各種モータ駆動回路に各種指令信号を送信することにより、上記各種表示器、液晶表示部４９Ｂ、サーマルヘッド９１、印圧制御モータ１４やメインモータ１５１の各作動を制御する。
【００６６】
制御装置６３は、モード別印圧制御手段６４と記憶手段６５とを有する。モード別印圧制御手段６４と記憶手段６５とは、指令信号やデータ信号を互いに送受信する関係にある。
制御装置６３は、製版スタートキー４４からの製版スタート信号に基づいて、また画像処理装置５７からの画像信号等に応じて、上述した一般的な諸制御、すなわち熱履歴制御手段（図示せず）による熱履歴制御、コモンドロップ補正制御手段（図示せず）によるコモンドロップ補正制御、サーマルヘッド温度補正制御手段（図示せず）によるサーマルヘッド温度補正制御等を行うための諸制御手段を有する。これは、後述する各実施形態や変形例等の制御装置でも同様であり、後述する各実施形態や変形例等ではその説明を省略する。
【００６７】
上記熱履歴制御手段としては、例えば特開平８−１３２５８４号公報の図８等に開示されている制御構成と同様のものが用いられている。また、各熱履歴制御値は、予め決められた値にそれぞれ変更して熱履歴制御が実施される。上記コモンドロップ補正制御手段としては、例えば特開平４−１６３１５９号公報や上記特開平１１−３２０８０７号公報の図５（ａ）等に開示されているように、上記同公報の図５（ａ）にその他の条件（１５）としての一例として、例えば発熱体２の同時発熱数の違いによるコモンドロップ補正の機能を有しているもの等が挙げられる。さらには、発熱体２への印加電力（Ｐ）を可変する補正方式も提案されているが、実使用上は、制御のし易さなどから発熱体列への通電時間を制御する方式である通電パルス幅可変制御方式が採られている。上記サーマルヘッド温度補正制御手段としては、例えば特開平６−３２０８５１号公報等で開示されているように、サーミスタ（１０）によりサーマルヘッド９１の温度を検出し、サーミスタ（１０）により検出されたサーマルヘッド９１の温度に応じて印加エネルギー（Ｅｓ）の調整を行なう機能を有するものである。そして、上記ＲＯＭには、上記同公報の図５（ｂ）および（ｃ）に概略的に示すように、サーマルヘッド９１の温度と通電パルス幅（ｔｐ）との関係データがデータテーブルとして記憶されている。後述する各実施形態や変形例等の動作でも、上記一般的な諸制御手段による制御がその製版動作時において実施されるが、以下説明の簡明化を図るためその一々の説明を省略する。
【００６８】
モード別印圧制御手段６４は、制御装置６３のそれと比較して小規模のマイクロコンピュータを具備している。モード別印圧制御手段６４の図示しないＲＯＭには、各モードとサーマルヘッド９１の個々の発熱体２へ印加する最適な穿孔エネルギー（通電パルス幅）との関係データである穿孔エネルギー調整パターンテーブル、および各モードと最適な印圧の強さに対応した印圧制御モータ１４の回転駆動量（スプリング長さ検知センサ１３のパルス数として出力される）との関係データである印圧制御パターンテーブルや、モード別印圧制御手段６４の図示しないＣＰＵによる制御、演算機能を発揮するためのプログラム等が予め記憶されている。穿孔エネルギー調整パターンテーブルおよび印圧制御パターンテーブル等は、例えば予め実験等で求められて上記ＲＯＭに記憶・格納されている。
【００６９】
制御装置６３の上記ＲＯＭには、孔版印刷装置の全体の動作プログラムや各作動を制御するための制御装置６３に必要な関係データや動作プログラム等が予め記憶されている。制御装置６３やモード別印圧制御手段６４の上記各ＲＡＭは、上記ＣＰＵでの判断結果や計算結果等を一時記憶したり、各センサ等からの出力信号を随時記憶したりしてこれら信号の入出力を行う。これらは、後述する各実施形態や変形例等でも同様であり、後述する各実施形態や変形例ではその説明を省略する。
【００７０】
モード別印圧制御手段６４の上記ＣＰＵ（以下、「モード別印圧制御手段６４」というときがある）は、文字モード設定キー３１、文字・写真モード設定キー３２または写真モード設定キー３３からの各種モード設定信号に基づいて、またスプリング長さ検知センサ１３や印圧ホームポジションセンサ９等からのデータ信号やオン／オフ信号等を参照しながら、写真モード設定時には文字・写真モード設定時よりも、文字・写真モード設定時には文字モード設定時よりも、それぞれ印圧が低くなるように、印圧可変手段２０の印圧制御モータ１４を制御する制御機能を有する。
【００７１】
記憶手段６５は、電源スイッチ５８からのオフ信号（孔版印刷装置の上記各装置への電力の供給を断つ信号）に基づいて、前回の最終印刷時に使用した各モードおよび印刷条件を記憶する機能を有し、例えば電池付きのＲＡＭからなる。
【００７２】
モード別印圧制御手段６４は、印刷ドラム１０１上の同じ製版済みのマスタ６１を用いて印刷を行う次回の印刷時に、前回の最終印刷時に使用したモードおよび印刷条件を記憶手段６５から選択し呼び出して印刷動作を行わせる制御機能を有する。
モード別印圧制御手段６４は、図９のフローチャートに示されているように、電源スイッチ５８が押されて電力オンとなった（電力供給状態となった）後、上記モード設定手段からのモード設定信号の出力がなされこれがモード別印圧制御手段６４に入力され、その後、製版スタートキー４４が押されて製版スタート信号が制御装置６３およびそのモード別印圧制御手段６４に入力されたとき、設定されたモードで製版・印刷動作を行うように上記サーマルヘッド駆動回路を介してサーマルヘッド９１および上記モータ駆動回路を介して印圧制御モータ１４をそれぞれ制御するものである。以下、上記サーマルヘッド駆動回路を介してサーマルヘッド９１を制御することを、「サーマルヘッド９１を制御する」という。同様に、上記モータ駆動回路を介して印圧制御モータ１４を制御することを、「印圧制御モータ１４を制御する」という。
フローチャートとして示していないが、モード別印圧制御手段６４は、電源スイッチ５８が押されて電力オンとなった後、前回の最終印刷時に使用したモード、印刷条件および表示内容等を記憶手段６５から選択し呼び出してそれに対応した印刷動作を行うように印圧制御モータ１４を制御する制御機能も有する。なお、製版スタートキー４４が押下された場合は、モード設定手段からの出力に基づき動作するようになっている。
【００７３】
図６ないし図８を参照して、文字モード、文字・写真モード、写真モードについて、補足説明する。
図６（ａ）に示す写真１は、市松ドット（黒画像）パターンの原稿６０を原稿読取装置８０で読み取り、この市松ドットパターンの画像に基づいて製版給版装置９０でマスタ６１に製版した穿孔状態を、図６（ｂ），（ｃ）に示す写真２、写真３は、この製版済みマスタ６１を用いて上記孔版印刷装置の印圧ドラム装置１００で印刷用紙６２に印刷した印刷画像状態を、それぞれ光学顕微鏡を用いてミクロ的に観察したものである。主な印刷条件等は、下記のとおりである。
環境温度：          実験室環境（温度２６℃、湿度５４％ＲＨ）
サーマルヘッド仕様：Ｎ８００用６００ＤＰＩ（平面型で発熱素子が矩形状）
マスタ仕様：        ポリエステルテレフタレート（ＰＥＴ）系の熱可塑性樹脂フィルム（厚さ２μｍ）と多孔質支持体として厚さ約３０μｍのものを接着剤で貼り合わせたもの
インキ              Ｗ／Ｏ型エマルジョンインキ
印刷用紙            株式会社リコー製「ＰＰＣ用紙Ｔｙｐｅ６２００」
孔版印刷装置        株式会社リコー製「Ｎ８００母体実験マシン」
文字原稿のベタ部の場合には、ドットとドット間の隙間部においても印刷用紙６２上のインキ画像が埋まっていることが望ましいのに対して、写真原稿等の階調性を持たせたものの場合には、連続した独立穿孔は少なく、むしろ図６（ａ）に示す写真１のように穿孔状態としては単独ないしは少数個の集団になっている場合が多い。
従って、モード別にいうならば、文字原稿等に対応した文字モードによる製版・印刷動作の際には、印圧は強め（高め）の方がベタの埋まり具合がよく、印刷画質的にも良好なものが得られ、逆に写真原稿等に対応した写真モードによるような階調性を持たせた製版・印刷動作の際には、印圧を弱く（低く）し、そのドットが原稿の画像を忠実に再現していた方が写真画像の印刷画質としては良好になる。
図６（ｂ），（ｃ）に示す写真２、写真３でいうならば、文字モードの際には比較的（相対的に）印圧を強くした際の印刷画像である写真３の方が好ましく、逆に写真モードの際には比較的印圧を弱くした際の印刷画像である写真２のような印刷状他の方が望ましい。
【００７４】
ここで、図７および図８を参照して、最適な品質の印刷画像を得る印刷条件について簡単に説明する。上記のような孔版印刷装置による印刷では、図７に示すように、製版済みのマスタ６１の穿孔部分から押し出されるインキ量は、インキ供給手段１１９のインキローラ１２０と印刷ドラム１０１の内側の多孔性支持円筒体１０１ａとの接触圧Ｆ（インキ吐出圧Ｆでもある）に影響される。このインキ吐出圧Ｆは、プレスローラ１０３（あるいは後述する押圧手段としての圧胴１２５）が上記したプレスローラ変位手段２２および押圧力可変手段２０を介して印刷ドラム１０１に押し付けられるときの印圧Ｐそのものではなく、印刷ドラム１０１を変形させてインキローラ１２０に接触させる力を差し引いた値であるため、実際にインキ自身にかかるインキ吐出圧Ｆは印圧Ｐよりも小さい値となる（Ｐ＞Ｆ）。それ故に、最適な品質の印刷画像を得る印刷条件の１つとしてのインキ吐出圧Ｆを最適値とするためには、印刷ドラム１０１の剛性とプレスローラ１０３による印圧Ｐとのバランスを取ればよいことに帰着される。
また見方を変えるならば、ミクロ的に見たときに凹凸のある印刷用紙６２の表面に圧を加えてインキを押し込み、さらに印刷用紙６２の繊維内にインキを浸透させる必要があるので、印刷ドラム１０１の内側からインキを押し出す圧力でもあるインキ吐出圧Ｆ以外に、印刷用紙６２を製版済みのマスタ６１に押し付ける印圧Ｐを制御することも、最適な品質の印刷画像を得る上で重要な制御対象となり、この印圧Ｐを十分に制御する必要があるといえる。なお、印圧Ｐが十分に制御されていない現状にあっては、実際的には、必要な印圧Ｐとインキ吐出圧Ｆが得られるように印刷ドラム１０１の剛性を設計的に決めていた。
図８に示すように、印圧Ｐと印刷用紙６２へのインキ転移量との関係について説明すると、印圧Ｐを強く（高く）するにしたがって、すなわち印圧Ｐの強さに略比例してインキ転移量も多くなることが実験結果や経験から分かっている。
【００７５】
従って、印刷画質的に良好なものを得るためには、文字モードによる印刷動作の際には印圧を比較的強めに設定してベタの埋まり具合をよくし、逆に写真モードによるような階調性を持たせなければならない印刷動作の際には印圧を比較的弱め（低め）に設定して、そのドットが原稿の画像を忠実に再現するようにすればよい。また、文字・写真モードによるようにある程度階調性を持たせなければならない印刷動作の際には、文字モードと写真モードとの間にその印圧の強さを設定すればよい。印圧の強さ（大きさ）は、実験等によって設定することができる。
【００７６】
印刷画質に加えて製版画質的にも良好なものを得るためには、モード別には次のようにすればよい。すなわち、文字モードによる製版動作の際には、一般的に互いに隣る穿孔が分離した状態にある独立した穿孔を得るようにすると共に穿孔面密度（単位面積当たりの穿孔の大きさ）を比較的（相対的に）密にする製版動作を行い、かつ、印圧を比較的（相対的に）強めに設定してベタの埋まり具合をよくし、逆に写真モードによるような階調性を持たせなければならない製版動作の際には、一般的に独立した穿孔を得るようにすると共に階調性を持たせるために穿孔面密度を比較的（相対的に）粗にする製版動作を行い、かつ、階調性を持たせるために印圧を比較的（相対的に）弱め（低め）に設定して、そのドットが原稿の画像を忠実に再現するようにすればよい。また、文字・写真モードによるようにある程度階調性を持たせなければならない製版動作の際には、文字モードと写真モードとの間にその穿孔面密度および印圧の強さを設定すればよいこととなる。
【００７７】
次に、実施形態１に特有の動作、すなわち文字モード、写真モード、文字・写真モードによる各動作について、図９のフローチャートを併用して上述した動作を補足説明すると共に、その動作と相違する点を中心に説明する。電源スイッチ５８のオン時（投入時）の初期状態としては、文字モードになっている。
まず、文字モードで製版・印刷する場合を説明する。先ず、使用者は電源スイッチ５８を押して電力オン状態にすると、操作パネル３０および制御装置６３等が起動可能状態になると共に、上記各装置等への電力供給可能状態となる。これに前後して例えば上記原稿載置台に文字画像のみを持った原稿６０を載置・セットした後、文字モード設定キー３１を押すと、文字モード設定信号が生成されてこれが制御装置６３およびそのモード別印圧制御手段６４に入力されると共に、文字モード表示ランプ３４ａが点灯する。この後、使用者が製版スタートキー４４を押すと、製版スタート信号が生成されこの製版スタート信号がトリガとなって上述したと同様の排版工程が実行されると共にこれと並行して、原稿読取装置８０では上述したと同様の原稿６０の画像読み取りが行われる（ステップＳ１〜ステップＳ４参照）。
【００７８】
文字モード設定信号および製版スタート信号が制御装置６３およびそのモード別印圧制御手段６４に入力されると、上記画像読み取り動作と並行して、上述した製版動作とは異なる文字モードによる製版動作が自動的に実行される。すなわち、モード別印圧制御手段６４は、上記ＲＯＭに記憶されている穿孔エネルギー調整パターンテーブルから文字モード用の所定の最適な通電パルス幅、すなわち原稿６０における文字画像に対応した文字製版画像のベタ埋まりを良好にすべく、互いに独立した穿孔を得られると共に穿孔面密度を比較的密にするような所定の通電パルス幅を選択・呼び出して上記サーマルヘッド駆動回路を介してサーマルヘッド９１の個々の発熱素子９１ａに出力する。これにより、黒画素に対応した発熱素子９１ａがジュール熱を発生し、マスタ６１の熱可塑性樹脂フィルム部分が溶融穿孔され、原稿６０の文字画像に対応してベタの埋まり具合を良好にした穿孔・製版画像が得られる。この一版の製版済みのマスタ６１が上述したと同様の給版動作によって、印刷ドラム１０１の外周面に完全に巻装された段階で製版および給版工程が終了する（ステップＳ５参照）。
【００７９】
次いで、上述した印刷動作とは異なる印圧可変制御を伴う文字モードによる印刷動作が自動的に実行される。すなわち、モード別印圧制御手段６４は、上記ＲＯＭに記憶されている印圧制御パターンテーブルから文字モード用の最適な印圧の強さに対応した印圧制御モータ１４の所定の回転駆動量（スプリング長さ検知センサ１３のパルス数）、すなわち文字製版画像に対応したインキ画像のベタ埋まりを良好にすべく、印刷ドラム１０１に印刷用紙６１をプレスローラ１０３で押し付けるときの印圧を比較的高めに変えるような所定のスプリング長さ検知センサ１３のパルス数を選択・呼び出して印圧制御モータ１４を制御する。以下、比較的高めの印圧にて図１を参照して説明したと同様の版付け印刷終了後、比較的高めの印圧にて印刷動作が実行される以外は通常の印刷動作と同様に行われる。
【００８０】
すなわち、操作パネル３０の印刷速度設定キー４７を押下することにより、所望する印刷速度値を設定し、これに前後してテンキー４６で印刷枚数をセットし、印刷スタートキー４５を押すと上記版付け印刷と同様の工程で、給紙、印刷および排紙の各工程が設定された印刷速度でセットした印刷枚数分繰り返して行われると、孔版印刷の全工程が終了する（ステップＳ６〜ステップＳ８参照）。
【００８１】
次に、写真モードで製版・印刷する場合を説明する。先ず、使用者は電源スイッチ５８を押して電力オン状態にすると、操作パネル３０および制御装置６３等が起動可能状態になると共に、上記各装置等への電力供給可能状態となる。これに前後して例えば上記原稿載置台に主に写真画像のみを持った原稿６０を載置・セットした後、写真モード設定キー３３を押すと、写真モード設定信号が生成されてこれが制御装置６３およびそのモード別印圧制御手段６４に入力されると共に、写真モード表示ランプ３４ｃが点灯する。この後、使用者が製版スタートキー４４を押すと、上記したと同様に排版工程が実行されると共にこれと並行して、原稿読取装置８０では上述したと同様の原稿６０の画像読み取りが行われる（ステップＳ１〜ステップＳ４参照）。
【００８２】
写真モード設定信号および製版スタート信号が制御装置６３およびそのモード別印圧制御手段６４に入力されると、上記画像読み取り動作と並行して、上記した文字モードによる製版動作とは異なる写真モードによる製版動作が自動的に実行される。すなわち、モード別印圧制御手段６４は、上記ＲＯＭに記憶されている穿孔エネルギー調整パターンテーブルから写真モード用の所定の最適な通電パルス幅、すなわち原稿６０における写真画像に対応した写真製版画像において階調性を持たせたものを得るべく、互いに独立した穿孔を得られると共に穿孔面密度を比較的粗にするような所定の通電パルス幅を選択・呼び出して上記サーマルヘッド駆動回路を介してサーマルヘッド９１の個々の発熱素子９１ａに出力する。これにより、黒画素に対応した発熱素子９１ａがジュール熱を発生し、マスタ６１の熱可塑性樹脂フィルム部分が溶融穿孔され、原稿６０の写真画像に対応して階調性を持った、ドットが忠実に再現した穿孔・製版画像が得られる。この一版の製版済みのマスタ６１が上述したと同様の給版動作によって、印刷ドラム１０１の外周面に完全に巻装された段階で製版および給版工程が終了する（ステップＳ９参照）。
【００８３】
次いで、上記した文字モードによる印刷動作とは異なる印圧可変制御を伴う写真モードによる印刷動作が自動的に実行される。すなわち、モード別印圧制御手段６４は、上記ＲＯＭに記憶されている印圧制御パターンテーブルから写真モード用の最適な印圧の強さに対応した印圧制御モータ１４の回転駆動量（スプリング長さ検知センサ１３の所定のパルス数）、すなわち写真製版画像に対応して階調性を持つと共にドットが忠実に再現したインキ画像（写真印刷画像）を得るべく、印刷ドラム１０１に印刷用紙６１をプレスローラ１０３で押し付けるときの印圧を比較的低めに変えるような所定のスプリング長さ検知センサ１３のパルス数を選択・呼び出して印圧制御モータ１４を制御する。以下、比較的低めの印圧にて図１を参照して説明したと同様の版付け印刷終了後、比較的低めの印圧にて印刷動作が実行される以外は通常の印刷動作や文字モード設定時の印刷動作と同様に行われる（ステップＳ１０〜ステップＳ１１およびステップＳ８参照）。
【００８４】
次に、文字・写真モードで製版・印刷する場合を説明する。先ず、使用者は電源スイッチ５８を押して電力オン状態にすると、操作パネル３０および制御装置６３等が起動可能状態になると共に、上記各装置等への電力供給可能状態となる。これに前後して例えば上記原稿載置台に文字画像と写真画像とが混合した文字・写真混合画像を持った原稿６０を載置・セットした後、文字・写真モード設定キー３２を押すと、文字・写真モード設定信号が生成されてこれが制御装置６３およびそのモード別印圧制御手段６４に入力されると共に、文字・写真モード表示ランプ３４ｂが点灯する。この後、使用者が製版スタートキー４４を押すと、上記したと同様に排版工程が実行されると共にこれと並行して、原稿読取装置８０では上述したと同様の原稿６０の画像読み取りが行われる（ステップＳ１〜ステップＳ４参照）。
【００８５】
文字・写真モード設定信号および製版スタート信号が制御装置６３およびそのモード別印圧制御手段６４に入力されると、上記画像読み取り動作と並行して、上記した文字モードや写真モードによる製版動作とは異なる文字・写真モードによる製版動作が自動的に実行される。すなわち、モード別印圧制御手段６４は、上記ＲＯＭに記憶されている穿孔エネルギー調整パターンテーブルから文字・写真モード用の所定の最適な通電パルス幅、すなわち原稿６０における文字・写真混合画像中の文字画像に対応した文字製版画像のベタ埋まりをある程度良好にすると共に、文字・写真混合画像中の写真画像に対応した写真製版画像においてある程度の階調性を持たせたものを得るべく、互いに独立した穿孔を得られると共に穿孔面密度が文字モードと写真モードとの間に設定された所定の通電パルス幅を選択・呼び出して上記サーマルヘッド駆動回路を介してサーマルヘッド９１の個々の発熱素子９１ａに出力する。これにより、黒画素に対応した発熱素子９１ａがジュール熱を発生し、マスタ６１の熱可塑性樹脂フィルム部分が溶融穿孔され、原稿６０における文字画像に対応した文字製版画像のベタ埋まりをある程度良好にすると共に、原稿６０における写真画像に対応した写真製版画像においてある程度の階調性を持った、ドットがある程度忠実に再現した穿孔・製版画像が得られる。この一版の製版済みのマスタ６１が上述したと同様の給版動作によって、印刷ドラム１０１の外周面に完全に巻装された段階で製版および給版工程が終了する（ステップＳ１２参照）。
【００８６】
次いで、上記した文字モードによる印刷動作とは異なる印圧可変制御を伴う文字・写真モードによる印刷動作が自動的に実行される。すなわち、モード別印圧制御手段６４は、上記ＲＯＭに記憶されている印圧制御パターンテーブルから文字・写真モード用の最適な印圧の強さに対応した印圧制御モータ１４の回転駆動量（スプリング長さ検知センサ１３の所定のパルス数）、すなわち文字・写真混合製版画像中の文字製版画像に対応した文字印刷画像のベタ埋まりをある程度良好にすると共に、文字・写真混合画像中の写真画像に対応した写真印刷画像においてある程度の階調性を持つと共にドットがある程度忠実に再現したインキ画像としての写真印刷画像を得るべく、印刷ドラム１０１に印刷用紙６１をプレスローラ１０３で押し付けるときの印圧を文字モードと写真モードとの間の印圧に変えるような所定のスプリング長さ検知センサ１３のパルス数を選択・呼び出して印圧制御モータ１４を制御する。以下、図１を参照して説明したと同様の版付け印刷終了後、文字モードと写真モードとの間の印圧にて印刷動作が実行される以外は通常の印刷動作や文字モードや写真モード設定時の印刷動作と同様に行われる（ステップＳ１３〜ステップＳ１４およびステップＳ８参照）。
【００８７】
フローチャートとして示していないが、電源スイッチ５８がオフされた後、印刷ドラム１０１上の同じ製版済みのマスタ６１を用いて印刷を行うような場合は以下のような動作となる。すなわち、使用者は電源スイッチ５８のオフ後、再び印刷ドラム１０１上の同じ製版済みのマスタ６１を用いて印刷を行いたい場合、使用者は電源スイッチ５８を押して電力オンとなった後、各モード設定キー３１，３２，３３を押すことなく、印刷スタートキー４５を押す。すると、モード別印圧制御手段６４は、印刷ドラム１０１の脱着有無の検知を実施してこの例では装置本体フレーム５０から取り外し・脱着していないので、印刷ドラム１０１上の同じ製版済みのマスタ６１を用いて印刷を行うものと認識・判断して、前回の最終印刷時に使用したモード、印刷条件および表示内容を記憶手段６５から選択し呼び出してそれに対応した印刷動作を行うように印圧制御モータ１４を制御すると共に、ＬＥＤ駆動回路やＬＣＤ駆動回路を制御することとなる。これにより、一々前回と同じモードの設定を行う必要がなくなり、操作性が向上する。
【００８８】
本発明の実施形態は、実施形態１から製版給版装置９０を構成している製版手段としてのサーマルヘッド９１を除去した構成であってもよいし、あるいは製版給版装置９０自体を除去した構成であってもよい。さらには、サーマルヘッド９１および記憶手段６５を除去した構成であってもよいし、あるいは製版給版装置９０自体および記憶手段６５を除去した構成であってもよい。
実施形態１からサーマルヘッド９１を除去した構成例としては、例えば予め製版されたマスタ６１を巻いて形成したマスタロールから製版済みのマスタ６１を繰り出し、これを給版手段を構成するプラテンローラ９２、送りローラ対９３ａ，９３ｂおよび給版ローラ対９４ａ，９４ｂによって印刷ドラム１０１に給版し巻装した後、上記各モードと類似する後述する各印刷モードによる印圧可変制御を伴う印刷動作を実行させる印刷モード別印圧制御手段と、上記各印刷モードを設定するための印刷モード設定手段とを具備する孔版印刷装置を含む印刷装置が挙げられる（印刷機・製版機分離型）。
【００８９】
すなわち、文字画像等に対応した印刷動作を行う文字印刷モード、写真画像等に対応した印刷動作を行う写真印刷モード、および文字・写真混合画像等に対応した印刷動作を行う文字・写真印刷モードのうちの少なくとも２つの印刷モードを設定する印刷モード設定手段と、印刷ドラム１０１に対するプレスローラ１０３の印圧を変化させる印圧可変手段２０と、印刷モード設定手段による写真印刷モード設定時には文字・写真印刷モード設定時よりも、文字・写真印刷モード設定時には文字印刷モード設定時よりも、それぞれ印圧が低くなるように印圧可変手段２０の印圧制御モータ１４を制御する印刷モード別印圧制御手段とを有する孔版印刷装置を含む印刷装置であってもよい（請求項１参照）。
請求項１に係る上記印刷装置の構成に加えて、電源スイッチ５８によって上記各装置への電力の供給を断った後における、前回の最終印刷時に使用した印刷モードおよび印刷条件を記憶する記憶手段を有し、上記印刷モード別印圧制御手段は、電源スイッチ５８が押されて電力オンとなった後、印刷スタートキー４５からの印刷スタート信号に基づいて、印刷ドラム１０１の脱着有無の検知を実施して取り外し・脱着していないと判断し、印刷ドラム１０１上の同じ製版済みのマスタ６１を用いて印刷を行う次回の印刷時に、前回の最終印刷時に使用した印刷モードおよび印刷条件を上記記憶手段から選択し呼び出してそれに対応した印刷動作を行うように印圧制御モータ１４を制御すると共に、ＬＥＤ駆動回路やＬＣＤ駆動回路を制御する孔版印刷装置を含む印刷装置であってもよい（請求項３参照）。
【００９０】
上記印刷モード設定手段と、印圧可変手段２０と、上記印刷モード別印圧制御手段、上記記憶手段とを有する孔版印刷装置を含む印刷装置の適用例としては、例えば、本願出願人が提案した特開２０００−２６３９０６号公報記載の複胴式印刷装置や、特開２００１−２３９７３６号公報記載の版付け装置におけるような印刷システムを構成しているものに適用可能である。以下、上記した請求項１および３に係る孔版印刷装置を含む印刷装置の実施形態を便宜的に実施形態２という。
【００９１】
（変形例１）
図１０ないし図１２に、実施形態１の変形例１を示す。
変形例１は、実施形態１と比較して、図１０ないし図１２に示すように、多色重ね刷り印刷が可能になっていること、操作パネル３０に代えた操作パネル３０Ａを有すること、印圧を介して印刷画質に影響を与える各種印圧用パラメータのうちのインキの粘度（以下、「インキ粘度」という）を検出するインキ粘度検出手段としてのインキ粘度検出装置７６を有すること、および制御装置６３に代えた制御装置６３Ａを有することが主に相違する。
【００９２】
変形例１の孔版印刷装置は、例えば黒色、赤色、青色および黄色等の多色重ね刷り印刷が可能であって、各色ごとの色替えがドラムユニットの交換により容易に行えるようになっている。説明の簡明化を図るため図１６を借りて説明すると、後述する３種類のインキ：インキＡｋ（赤色），Ｂｋ（青色），Ｃｋ（黒色）について色替えを行い、多色印刷を行うものとする。
また、変形例１の孔版印刷装置は、上記内容に付加して、例えば複数のドラムユニットが搭載できる印刷機や、製版・印刷一体型のものであってもよい。
【００９３】
黒色のインキＣｋによる印刷は、ドラムユニット１４０を用いることでなされる。すなわち、図１６を借りて説明すると、ドラムユニット１４０は、黒色のインキＣｋを供給するインキ供給手段１１９がその内部に配設された印刷ドラム１０１と、印刷ドラム１０１を回転自在に支持する支軸１０４と、図４および図１６に示す長板状の把持フレーム１０１Ｈの両端部にそれぞれ垂設され、支軸１０４を介して印刷ドラム１０１を回転自在に支持する後フレーム１０１Ａおよび前フレーム１０１Ｂと、前フレーム１０１Ｂの外側に固設されインキ供給ディストリビュータ１２３へ黒色のインキＣｋを送出するインキポンプ装置およびインキ装置配管部（共に図示せず）等とを有する。
【００９４】
同様に、赤色のインキＡｋによる印刷はドラムユニット１４０Ａを、青色のインキＢｋによる印刷はドラムユニット１４０Ｂをそれぞれ用いることでなされる。すなわち、ドラムユニット１４０Ａは、赤色のインキＡｋを供給するインキ供給手段１１９がその内部に配設された印刷ドラム１０１ｍと、前フレーム１０１Ｂの外側に固設されインキ供給ディストリビュータ１２３へ赤色のインキＡｋを送出する図示しないインキポンプ装置およびインキ装置配管部（共に図示せず）等とを有し、その他についてはドラムユニット１４０と同様の構成を有する。  ドラムユニット１４０Ｂは、青色のインキＢｋを供給するインキ供給手段１１９がその内部に配設された印刷ドラム１０１ｎと、前フレーム１０１Ｂの外側に固設されインキ供給ディストリビュータ１２３へ青色のインキＢｋを送出する図示しないインキポンプ装置およびインキ装置配管部（共に図示せず）等とを有し、その他についてはドラムユニット１４０と同様の構成を有する。
【００９５】
インキＡｋ（赤色），Ｂｋ（青色），Ｃｋ（黒色）は、そのインキの含有成分である顔料等の組成およびその量により各々の流動性、換言すればインキの種類に応じて各々のインキの粘度が異なる。
図８を参照して説明したように、孔版印刷装置における印刷画像の画像濃度を含む印刷画質は、製版済みのマスタ６１から滲み出るインキの量、すなわち印刷用紙６２へのインキ転移量により決定される。インキ転移量は、印圧の強さにより変化し影響を受ける。従って、インキ転移量は、図８に示すように印圧の強さに略比例的な関係にあり、またインキの流動性に略比例的である。
【００９６】
従って、図１２に示すように、インキが硬く流動性が低い高粘度状態にあるとき（インキ粘度が大きいとき）は、印圧を比較的高くすることにより、インキの流動性が低いことに起因するインキ転移量（滲み出し量）の低下を補って良好な印刷画質を得ることができる。逆に、インキが柔らかくて流動性が高い低粘度状態のとき（インキ粘度が小さいとき）には、印圧を比較的低くすることにより、インキの流動性が高いことに起因するインキ転移量の増大を抑制して良好な印刷画質を得ることができる。
【００９７】
上述した点に着目して、インキ粘度を検出・測定するインキ粘度検出手段としては、インキ粘度検出装置７６を用いている。インキ粘度検出装置７６の具体例としては、例えば本願出願人が提案した特開平１０−４４５７７号公報の図１および図５ないし図７等に示されているインキの粘度を検出するためのインキ粘度検出ローラ（１６）およびインキ粘度検出モータ（１７）等を具備した粘度検出手段（２１）や図１、図１６および図１７等に示されている粘度検出手段（２１Ａ）、あるいは図１、図７、図１４および図１９等に示されている粘度検出手段（２１Ｂ）が好ましく用いられる。インキ粘度の検出・測定箇所は、上記公報の段落番号（００８０）に記載されている理由から、本変形例１では、図７においてインキがドクターローラ１２１によりインキローラ１２０外周面上で一定の厚さのインキ層に計量された後の印刷ドラム１０１内周面にできるだけ近い部分のインキであるインキローラ１２０外周面上のインキ層のインキ粘度を検出・測定する構成とした。
【００９８】
ここで、図１２を参照して、各種印圧用パラメータによる印圧方向性についてまとめて説明しておく。印圧用パラメータとしては、同図表に示すとおり、上記したインキ粘度の他に、環境温度、インキの温度（以下、「インキ温度」という）、インキの種類（以下、「インキ種類」という）、マスタ６１の種類（以下、「マスタ種類」という）の違いによるインキ通過性、印刷速度、印刷用紙６２の種類（以下、「用紙種類」という）の違いによるインキの滲み具合等が挙げられる。
【００９９】
環境温度は、その高低により各々のインキの流動性に影響を与え、これにより各々のインキの粘度が異なる。上述したインキ粘度と印圧との関係から、直ちに次のことが言える。
環境温度が比較的低い状態、すなわちインキが硬く流動性が低い高粘度状態にあるときは、印圧を比較的高くすることにより、環境温度が低くインキの流動性が低いことに起因するインキ転移量の低下を補って良好な印刷画質を得ることができる。逆に、環境温度が高い状態、すなわちインキが柔らかくて流動性が高い低粘度状態のときには、印圧を比較的低くすることにより、環境温度が高くインキの流動性が高いことに起因するインキ転移量の増大を抑制して良好な印刷画質を得ることができる。
【０１００】
インキ温度については、上記した環境温度と比較して、その高低により環境温度よりもより一層直接的かつ鋭敏にインキ粘度に影響を与えることのみ相違し、その高低と印圧方向性との関係は同様の傾向にある。インキ種類については、インキ粘度との関係において上述したとおりである。
上述したことから、インキ粘度、これに密接に関係する環境温度、インキ温度、インキ種類に拘らず良好な印刷画質を得るには、インキ粘度、環境温度、インキ温度、インキ種類にそれぞれ適した強さの印圧で印刷を行えばよい。すなわち、インキ粘度、環境温度、インキ温度、インキ種類の一々に応じて、最適な印刷画像を得るための印圧の強さが定まる。
【０１０１】
マスタ種類については、その違いによりインキ通過性に影響を及ぼすことによって、インキ転移量が異なる。すなわち、そのインキ通過性が比較的大きいマスタ６１においては、インキ転移量が多くなり、そのインキ通過性が比較的小さいマスタ６１においては、インキ転移量が少なくなる傾向にある。
従って、マスタ６１が比較的インキ通過性の小さいときには、印圧を比較的高くすることにより、インキ通過性が小さいことに起因するインキ転移量の低下を補って良好な印刷画質を得ることができる。逆に、マスタ６１が比較的インキ通過性の大きいときには、印圧を比較的低くすることにより、インキ通過性が大きいことに起因するインキ転移量の増大を抑制して良好な印刷画質を得ることができる。
【０１０２】
印刷速度は、その遅速によりインキ転移量に影響を与える。すなわち、印刷速度が比較的遅いときには、印刷ドラム１０１上の製版済みのマスタ６１に印刷用紙６２が押圧される時間が長くなって、インキ転移量が多くなり、印刷速度が比較的速いときには、印刷ドラム１０１上の製版済みのマスタ６１に印刷用紙６２が押圧される時間が短くなって、インキ転移量が少なくなる傾向にある。
従って、印刷速度が比較的速いときには、印圧を比較的高くすることにより、印刷速度が速いことに起因するインキ転移量の低下を補って良好な印刷画質を得ることができる。逆に、印刷速度が比較的遅いときには、印圧を比較的低くすることにより、印刷速度が遅いことに起因するインキ転移量の増大を抑制して良好な印刷画質を得ることができる。
【０１０３】
用紙種類については、その被印刷表面状態の違い、より具体的にはその表面平滑性（用紙表面の粗さ）を含むインキ浸透性によるインキの滲み具合により、インキ転移量に影響を与える。すなわち、例えばコート紙のような比較的インキの滲み具合の小さい印刷用紙６２に印刷するときには、インキ転移量が少なくなり、孔版上質紙のような比較的インキの滲み具合の大きい印刷用紙６２に印刷するときには、インキ転移量が多くなる。ここに、コート紙とは、印刷用紙６２の強度を増したりその表面を平滑にしたりするために、印刷用紙６２の被印刷表面がコーティングされているものを指す。
従って、比較的インキの滲み具合の小さい印刷用紙６２を用いるときには、印圧を比較的高くすることにより、インキの滲み具合が小さいことに起因するインキ転移量の低下を補って良好な印刷画質、より具体的には適正な画像面積の印刷画像を得ることができる。逆に、比較的インキの滲み具合の大きい印刷用紙６２を用いるときには、印圧を比較的低くすることにより、インキの滲み具合が大きいことに起因するインキ転移量の増大を抑制して良好な印刷画質、より具体的には適正な画像面積の印刷画像を得ることができる。
【０１０４】
操作パネル３０Ａは、操作パネル３０と比較して、図１０に示すように、インキ種類を設定するインキ種類設定手段としてのインキ種類設定キー３５と、インキ種類設定キー３５で選択的に設定されたインキ種類を表示するインキ種類表示手段としてのインキ種類表示器３６と、用紙種類を設定する用紙種類設定手段としての用紙種類設定キー４０と、用紙種類設定キー４０により選択的に設定された用紙種類を表示する用紙種類表示手段としての用紙種類表示器４１と、マスタ種類を設定するマスタ種類設定手段としてのマスタ種類設定キー３７と、マスタ種類設定キー３７により選択的に設定されたマスタ種類を表示するマスタ種類表示手段としてのマスタ種類表示器３８とを有することが主に相違する。
【０１０５】
インキ種類表示器３６は、各インキの粘度の値が異なる３種類のインキの何れが選択・設定されているのかを表示するランプ群、すなわち、例えば図１６に示すように黒色インキＣｋに対応するドラムユニット１４０が選択されていることを表示する黒色インキ表示ランプ３６ａ、赤色インキＡｋに対応するドラムユニット１４０Ａが選択されていることを表示する赤色インキ表示ランプ３６ｂおよび青色インキＢｋに対応するドラムユニット１４０Ｂが選択されていることを表示する青色インキ表示ランプ３６ｃからなる。各表示ランプ３６ａ，３６ｂ，３６ｃはＬＥＤからなる。
インキ種類設定キー３５を１回押下すると黒色インキ表示ランプ３６ａが点灯し、インキ種類設定キー３５を２回押下すると赤色インキ表示ランプ３６ｂが点灯するというように、インキ種類設定キー３５を１回押下するごとに順次ＬＥＤランプの点灯が切り替わり、使用者が設定したインキ種類に対応するドラムユニットが選択されていることを表示するようになっている。
【０１０６】
用紙種類表示器４１は、例えばＰＰＣ用紙が選択・設定されていることを表示するＰＰＣ用紙設定表示用のＰＰＣ用紙表示ランプ４１ａと、コート紙が選択・設定されていることを表示するコート紙設定表示用のコート紙表示ランプ４１ｂと、孔版上質紙が選択・設定されていることを表示する孔版上質紙表示用の孔版上質紙表示ランプ４１ｃとからなる。各表示ランプ４１ａ，４１ｂ，４１ｃはＬＥＤからなる。
用紙種類設定キー４０を１回押下するとＰＰＣ用紙表示ランプ４１ａが点灯し、用紙種類設定キー４０を２回押下するとコート紙表示ランプ４１ｂが点灯し、さらに用紙種類設定キー４０を３回押下すると孔版上質紙表示ランプ４１ｃが点灯するというように、用紙種類設定キー４０を１回押下するごとに順次ランプの点灯が切り替わり、使用者が用紙種類設定キー４０で選択・設定した用紙種類に対応する印刷用紙６２が設定されていることを表示するようになっている。
【０１０７】
マスタ種類表示器３８は、例えばインキ通過性の比較的大きいマスタ６１が選択・設定されていることを表示するマスタ種類表示ランプ３８ａと、インキ通過性の比較的中程度のマスタ６１が選択・設定されていることを表示するマスタ種類表示ランプ３８ｂと、インキ通過性の比較的小さいマスタ６１が選択・設定されていることを表示するマスタ種類表示ランプ３８ｃとからなる。各表示ランプ３８ａ，３８ｂ，３８ｃはＬＥＤからなる。
マスタ種類設定キー３７を１回押下するとマスタ種類表示ランプ３８ａが点灯し、マスタ種類設定キー３７を２回押下するとマスタ種類表示ランプ３８ｂが点灯し、さらにマスタ種類設定キー３７を３回押下するとマスタ種類表示ランプ３８ｃが点灯するというように、マスタ種類設定キー３７を１回押下するごとに順次ランプの点灯が切り替わり、使用者がマスタ種類設定キー３７で選択・設定したインキ通過性の大・中・小に関するマスタ６１が設定されていることを表示するようになっている。
【０１０８】
本変形例１では、インキ種類設定キー３５で選択・設定可能なインキ種類が黒色、赤色、青色の３種類としたが、これはあくまでも一例であるためこれに限らず、４種類以上のあるいは２種類だけのインキ種類を適宜選択・設定できるように構成してもよいことは言うまでもない。これは、マスタ種類や用紙種類でも同様である。各表示器３６，３８，４１は、ＬＥＤに限らず、ＬＣＤやタッチパネル等でも構わない。
【０１０９】
制御装置６３Ａは、実施形態１の制御装置６３と比較して、図１１に示すように印圧用パラメータ別印圧制御手段６６Ａを有することが相違する。制御装置６３Ａは、モード別印圧制御手段６４、印圧用パラメータ別印圧制御手段６６Ａおよび記憶手段６５とを具備する。モード別印圧制御手段６４と記憶手段６５とは、印圧用パラメータ別印圧制御手段６６Ａと記憶手段６５とは、モード別印圧制御手段６４と印圧用パラメータ別印圧制御手段６６Ａとは、それぞれ指令信号やデータ信号を互いに送受信する関係にある。
【０１１０】
制御装置６３Ａは、制御装置６３の入力構成と比較して、上記入力ポートおよび図示しないセンサ回路等を介して、操作パネル３０Ａの上記各種キー（インキ種類設定キー３５、マスタ種類設定キー３７、用紙種類設定キー４０、印刷速度設定キー４７）、インキ粘度検出装置７６、印刷速度センサ１６４に電気的に接続されていて、これらからのデータ信号やオン／オフ信号を受信することのみ相違する。また、制御装置６３Ａは、制御装置６３の出力構成と比較して、上記出力ポートおよび図示しないＬＥＤ駆動回路を介して操作パネル３０Ａの上記各種表示器（インキ種類表示器３６、マスタ種類表示器３８、用紙種類表示器４１）に電気的に接続されていて、これらに指令信号を送信することのみ相違する。
【０１１１】
印圧用パラメータ別印圧制御手段６６Ａは、制御装置６３Ａのそれと比較して小規模のマイクロコンピュータを具備している。印圧用パラメータ別印圧制御手段６６Ａの図示しないＲＯＭには、予め実験等で求めた印圧制御パターンテーブル、すなわち各モード別に設定され各種印圧用パラメータの組み合わせに対応して設定された最適な印圧の強さに関する印圧制御パターンテーブル、換言すれば各モード別に設定され各種印圧用パラメータの組み合わせに対応した印圧制御モータ１４の回転駆動量（スプリング長さ検知センサ１３のパルス数として出力される）に関する印圧制御パターンテーブルや、印圧用パラメータ別印圧制御手段６６Ａの図示しないＣＰＵによる制御、演算機能を発揮するためのプログラム等が予め記憶されている。上記した例では、印圧制御モータ１４がパルスモータ（ステッピングモータ）での記載であったが、ＤＣモータ等で時間管理しても構わない。
【０１１２】
印圧用パラメータ別印圧制御手段６６Ａの上記ＣＰＵ（以下、「印圧用パラメータ別印圧制御手段６６Ａ」というときがある）は、インキ種類設定キー３５からのインキ種類設定信号、マスタ種類設定キー３７からのマスタ種類設定信号、用紙種類設定キー４０からの用紙種類設定信号、インキ粘度検出装置７６からのインキ粘度検出信号、印刷速度センサ１６４からの印刷速度検出信号に基づいて、またスプリング長さ検知センサ１３や印圧ホームポジションセンサ９等からのデータ信号やオン／オフ信号等を参照しながら、上記ＲＯＭの印圧制御パターンテーブルから最適な印圧とするための各種印圧用パラメータの組み合わせに対応した印圧制御モータ１４の回転駆動量（スプリング長さ検知センサ１３のパルス数として出力される）に係る印圧データを選択して、所定の印圧になるように印圧可変手段２０の印圧制御モータ１４を制御する制御機能を有する。
【０１１３】
印圧用パラメータ別印圧制御手段６６Ａは、印刷ドラム１０１上の同じ製版済みのマスタ６１を用いて印刷を行う次回の印刷時に、前回の最終印刷時に使用した上記モード以外の印刷条件を記憶手段６５から選択し呼び出して印刷動作を行わせる制御機能を有する。
すなわち、印圧用パラメータ別印圧制御手段６６Ａは、電源スイッチ５８が押されて電力オンとなった後、印刷スタートキー４５からの印刷スタート信号に基づいて、印刷ドラム１０１の脱着有無の検知を実施して取り外し・脱着していないと判断し、印刷ドラム１０１上の同じ製版済みのマスタ６１を用いて印刷を行う次回の印刷時に、前回の最終印刷時に使用した上記各種印圧用パラメータに係る印刷条件を記憶手段６５から選択し呼び出してそれに対応した印刷動作を行うように印圧制御モータ１４を制御すると共に、ＬＥＤ駆動回路やＬＣＤ駆動回路を制御する制御機能を有する。
【０１１４】
次に、変形例１の動作について、実施形態１の動作と相違する点を中心に説明する。変形例１では、インキ粘度検出装置７６を有することで適宜の動作タイミングでインキ粘度を検出することが必要であり、その動作説明を簡単化して説明する。
先ず、使用者は電源スイッチ５８を押して電力オン状態にすると、操作パネル３０Ａおよび制御装置６３Ａ等が起動可能状態になると共に、上記各装置等への電力供給可能状態となる。これに前後して上記原稿載置台に文字画像、文字・写真混合画像および写真画像のうちの何れか１つを持った原稿６０を載置・セットした後、原稿６０の画像に対応したモード設定キーを押すと、そのモード設定信号が生成されてこれが制御装置６３Ａおよびモード別印圧制御手段６４に入力されると共に、そのモードに対応したモード表示ランプが点灯する。一実施例的に説明すると、例えば文字画像のみを持った原稿６０を載置・セットするものとした場合、初期状態として文字モードが設定されているので、文字モード設定キー３１を押さなくても、文字モード設定信号が生成されてこれが制御装置６３Ａおよびモード別印圧制御手段６４に入力されると共に、文字モードに対応した文字モード表示ランプ３４ａが点灯する。
【０１１５】
この後、操作パネル３０Ａで設定できる各種印刷条件に係る印圧用パラメータを入力する。すなわち、使用者はインキ種類設定キー３５でインキ種類を、マスタ種類設定キー３７でマスタ種類を、用紙種類設定キー４０で用紙種類を、印刷速度設定キー４７で印刷速度を、それぞれ設定すると、それらの印圧用パラメータに係る各種設定信号が制御装置６３Ａ内の印圧用パラメータ別印圧制御手段６６Ａに取り込まれ、記憶手段６５にそれぞれ一時記憶され、印圧制御の条件とされる。これと同時に、上記各印圧用パラメータに対応した各種表示ランプが点灯する。
【０１１６】
一実施例的に説明すると、例えばインキ種類設定キー３５を１回押下して黒色のインキを内蔵したドラムユニット１４０を選択・設定することでそのインキ種類設定信号が、マスタ種類設定キー３７を１回押下して装着しているインキ通過性の比較的大きいマスタ６１を選択・設定することでそのマスタ種類設定信号が、用紙種類設定キー４０を１回押下してＰＰＣ用紙を選択・設定することでその用紙種類設定信号が、印刷速度設定キー４７の速度アップキー４７ｂを押下して設定印刷速度：５速を選択することで印刷速度設定信号：５速が、それぞれ制御装置６３Ａ内の印圧用パラメータ別印圧制御手段６６Ａの上記ＣＰＵに取り込まれ、記憶手段６５にそれぞれ一時記憶され、印圧制御の条件とされる。また、テンキー４６で設定された印刷枚数設定信号は制御装置６３Ａ内の上記ＣＰＵに取り込まれ、上記ＲＡＭに一時記憶される。
これと同時に、上記各印圧用パラメータに対応した各種表示ランプ、黒色インキ表示ランプ３６ａ、マスタ表示ランプ３８ａ、ＰＰＣ用紙表示ランプ４１ａがそれぞれ点灯する。また、印圧用パラメータ別印圧制御手段６６Ａの上記ＣＰＵの指令によって、設定印刷速度：５速に対応した速度表示器４８のＬＥＤランプが点灯すると共に、制御装置６３Ａの上記ＣＰＵの指令によって、上記印刷枚数の数値表示が表示部４９Ａになされる。
【０１１７】
次いで、使用者が製版スタートキー４４を押すと、製版スタート信号が生成されこの製版スタート信号がトリガとなって上述したと同様の排版工程が実行される。次いで、インキ粘度を検出するために、図１および図７を借りて説明すると、印刷ドラム１０１が図１中矢印Ａ方向にアイドリング回転される。このとき、プレスローラ１０３は非印圧位置を占めている。この印刷ドラム１０１の回転と同時に、インキローラ１２０も同方向に同期して回転され、インキ量検知センサ１２４の作動によりインキ溜まり１２２のインキ量が検知されることで、上記インキ供給ポンプが作動され、インキ供給ディストリビュータ１２３から所定量に達するまでインキＣｋの供給が行われる。
そして、インキ量検知センサ１２４によりインキ溜まり１２２のインキＣｋが所定量になったことが検知されると、本願出願人が提案した特開平１０−３１５５９９号公報の段落番号「０１０８」ないし「０１０９」に記載されている内容と同様にして、インキ粘度検出装置７６によってインキ粘度が検出される。検出されたインキ粘度に係る信号は、最終的にデジタル量に変換されて制御装置６３Ａの印圧用パラメータ別印圧制御手段６６Ａの図示しないＣＰＵに送信され、同ＣＰＵに取り込まれる。
【０１１８】
上記インキ粘度検出信号が印圧用パラメータ別印圧制御手段６６Ａに取り込まれると、先ず、印圧用パラメータ別印圧制御手段６６Ａは記憶手段６５から上記インキ種類設定信号を呼び出して、印圧用パラメータ別印圧制御手段６６Ａの上記ＲＯＭに予め記憶されている各色ごとの印圧制御パターンテーブルとの照合を行い、インキＣｋに係る印圧制御パターンテーブルを選択する。そして、印圧用パラメータ別印圧制御手段６６Ａの上記ＣＰＵは、記憶手段６５から上記マスタ種類設定信号、上記用紙種類設定信号、上記印刷速度設定信号：５速を呼び出し、こうして呼び出された上記マスタ種類設定信号、上記用紙種類設定信号、上記印刷速度設定信号（実施例的には５速）および各色ごとの印圧制御パターンテーブルから選択されたインキＣｋに係る印圧制御パターンテーブルと、印圧用パラメータ別印圧制御手段６６Ａの上記ＲＯＭに記憶されている各モードごと（実施例的には例えば文字モード）の印圧制御パターンテーブルとの照合を行い、文字モード設定時における上記各種印刷条件に最も適した所定の印圧、すなわち所定の印圧設定パルス数を設定する。
【０１１９】
印刷ドラム１０１による所定回数の上記アイドリング回転終了後、原稿読取装置８０では上述したと同様の原稿６０の画像読み取りが行われる。この画像読み取り動作と並行して、例えば設定された文字モードによる特有の製版動作が上述したように自動的に実行される。この後、一版の製版済みのマスタ６１が上述したと同様の給版動作によって、印刷ドラム１０１の外周面に完全に巻装された段階で製版および給版工程が終了する。そして、印刷工程では、印圧用パラメータ別印圧制御手段６６Ａによって設定された所定の印圧設定パルス数で印圧制御モータ１４が制御され、最適な印刷画質となる所定の印圧で印刷動作が行われる。
【０１２０】
写真モード設定時や文字・写真モード設定時には、印圧用パラメータ別印圧制御手段６６Ａの上記ＣＰＵによって、印圧用パラメータ別印圧制御手段６６Ａの上記ＲＯＭに記憶されている各モードごと（実施例的には例えば写真モードや文字・写真モード）の印圧制御パターンテーブルとの照合を行い、写真モードや文字・写真モード設定時における上記各種印刷条件に最も適した設定印圧に対応した所定の印圧、すなわち所定の印圧設定パルス数を設定し、印圧制御モータ１４を制御することが相違するだけであり、上述した内容から容易に実施できるためこれ以上の説明を省略する。
【０１２１】
次に、電源スイッチ５８がオフされた後、印刷ドラム１０１上の同じ製版済みのマスタ６１を用いて印刷を行うような場合は以下のような動作となる。すなわち、使用者は電源スイッチ５８のオフ後、再び印刷ドラム１０１上の同じ製版済みのマスタ６１を用いて印刷を行いたい場合、使用者は電源スイッチ５８を押して電力オンとなった後、各モード設定キー３１，３２，３３を押すことなく、かつ、操作パネル３０Ａのインキ種類設定キー３５、マスタ種類設定キー３７、用紙種類設定キー４０、印刷速度設定キー４７等を押すことなく、印刷スタートキー４５を押す。すると、モード別印圧制御手段６４は、印刷スタートキー４５からの印刷スタート信号に基づいて印刷ドラム１０１の脱着有無の検知を実施して取り外し・脱着していないと判断し、印刷ドラム１０１上の同じ製版済みのマスタ６１を用いて印刷を行うものと判断して、前回の最終印刷時に使用したモード、印刷条件および表示内容を記憶手段６５から選択し呼び出してそれに対応した印刷動作を行うように印圧制御モータ１４を制御すると共に、ＬＥＤ駆動回路あるいはＬＣＤ駆動回路を制御することとなる。これにより、一々前回と同じモードの設定や上記各種印圧用パラメータの設定を行う必要がなくなり、操作性が向上する。
【０１２２】
（変形例２）
図１３に、変形例２を示す。変形例２は、インキ粘度をいわば直接的に検出するインキ粘度検出装置７６によるほどの精度の高い印圧用パラメータを用いなくてもよいのであれば、これに代えて、印圧用パラメータとしていわばインキ粘度を間接的に検出するインキ温度を用いて、モード別および印圧用パラメータ別の印圧制御を行うものである。
変形例２は、変形例１と比較して、インキ粘度検出装置７６に代えて、インキ温度を検出するインキ温度検出手段としてのインキ温度検出センサ７８を有すること、および制御装置６３Ａに代えた制御装置６３Ｂを有することが主に相違する。インキ温度検出センサ７８としては、サーミスタを使用しており、例えばインキ溜まり１２２におけるインキ温度を検出する。
【０１２３】
制御装置６３Ｂは、変形例１の制御装置６３Ａと比較して、印圧用パラメータ別印圧制御手段６６Ａに代えた印圧用パラメータ別印圧制御手段６６Ｂを有することが相違する。制御装置６３Ｂは、モード別印圧制御手段６４、印圧用パラメータ別印圧制御手段６６Ｂおよび記憶手段６５とを具備する。モード別印圧制御手段６４と記憶手段６５とは、印圧用パラメータ別印圧制御手段６６Ｂと記憶手段６５とは、モード別印圧制御手段６４と印圧用パラメータ別印圧制御手段６６Ｂとは、それぞれ指令信号やデータ信号を互いに送受信する関係にある。
制御装置６３Ｂは、変形例１の制御装置６３Ａの入力構成と比較して、上記入力ポートおよび図示しないセンサ回路等を介して、インキ粘度検出装置７６に代えて、インキ温度検出センサ７８に電気的に接続されていて、これからのインキ温度検出に係るデータ信号を受信することのみ相違する。
【０１２４】
印圧用パラメータ別印圧制御手段６６Ｂの図示しないＲＯＭには、予め実験等で求めた印圧制御パターンテーブル、すなわち各モード別に設定され各種印圧用パラメータの組み合わせに対応して設定された最適な印圧の強さに関する印圧制御パターンテーブル、換言すれば各モード別に設定され各種印圧用パラメータの組み合わせに対応した印圧制御モータ１４の回転駆動量（スプリング長さ検知センサ１３のパルス数として出力される）に関する印圧制御パターンテーブルや、印圧用パラメータ別印圧制御手段６６Ｂの図示しないＣＰＵによる制御、演算機能を発揮するためのプログラム等が予め記憶されている。
【０１２５】
印圧用パラメータ別印圧制御手段６６Ｂの上記ＣＰＵ（以下、「印圧用パラメータ別印圧制御手段６６Ｂ」というときがある）は、インキ種類設定キー３５からのインキ種類設定信号、マスタ種類設定キー３７からのマスタ種類設定信号、用紙種類設定キー４０からの用紙種類設定信号、インキ温度検出センサ７８からのインキ温度検出信号、印刷速度センサ１６４からの印刷速度検出信号に基づいて、またスプリング長さ検知センサ１３や印圧ホームポジションセンサ９等からのデータ信号やオン／オフ信号等を参照しながら、上記ＲＯＭの印圧制御パターンテーブルから最適な印圧とするための各種印圧用パラメータの組み合わせに対応した印圧制御モータ１４の回転駆動量（スプリング長さ検知センサ１３のパルス数として出力される）に係る印圧データを選択して、所定の印圧になるように印圧可変手段２０の印圧制御モータ１４を制御する制御機能を有する。
【０１２６】
印圧用パラメータ別印圧制御手段６６Ｂは、印刷ドラム１０１上の同じ製版済みのマスタ６１を用いて印刷を行う次回の印刷時に、前回の最終印刷時に使用した上記モード以外の印刷条件を記憶手段６５から選択し呼び出して印刷動作を行わせる制御機能を有する。
すなわち、印圧用パラメータ別印圧制御手段６６Ｂは、電源スイッチ５８が押されて電力オンとなった後、印刷スタートキー４５からの印刷スタート信号に基づいて印刷ドラム１０１の脱着有無の検知を実施して、取り外し・脱着していないと判断し、印刷ドラム１０１上の同じ製版済みのマスタ６１を用いて印刷を行う次回（今回）の印刷時に、前回の最終印刷時に使用した上記各種印圧用パラメータに係る印刷条件を記憶手段６５から選択し呼び出してそれに対応した印刷動作を行うように印圧制御モータ１４を制御するものである。
変形例２の動作については、上述した実施形態１や変形例１の動作および上述した制御構成等から容易に理解して実施できるためこれ以上の説明を省略する。
【０１２７】
（変形例３）
図１４に、変形例３を示す。変形例３は、インキ粘度をいわば直接的に検出するインキ粘度検出装置７６によるほどの精度の高い印圧用パラメータを用いなくてもよいのであれば、これに代えて、印圧用パラメータとしていわばインキ粘度を間接的に検出する環境温度を用いて、モード別および印圧用パラメータ別の印圧制御を行うものである。
変形例３は、変形例１と比較して、インキ粘度検出装置７６に代えて、環境温度を検出する環境温度検出手段としての環境温度検出センサ７７を有すること、および制御装置６３Ａに代えた制御装置６３Ｂを有することが主に相違する。環境温度検出センサ７７としては、装置本体フレーム５０の外壁や内壁に配設されたサーミスタを使用している。これに限らず、製版開始前に、サーマルヘッド９１に具備されている上記したサーミスタを使用してもよい。
【０１２８】
制御装置６３Ｃは、変形例１の制御装置６３Ａと比較して、印圧用パラメータ別印圧制御手段６６Ａに代えた印圧用パラメータ別印圧制御手段６６Ｃを有することが相違する。制御装置６３Ｃは、モード別印圧制御手段６４、印圧用パラメータ別印圧制御手段６６Ｃおよび記憶手段６５とを具備する。モード別印圧制御手段６４と記憶手段６５とは、印圧用パラメータ別印圧制御手段６６Ｃと記憶手段６５とは、モード別印圧制御手段６４と印圧用パラメータ別印圧制御手段６６Ｃとは、それぞれ指令信号やデータ信号を互いに送受信する関係にある。
制御装置６３Ｃは、変形例１の制御装置６３Ａの入力構成と比較して、上記入力ポートおよび図示しないセンサ回路等を介して、インキ粘度検出装置７６に代えて、環境温度検出センサ７７に電気的に接続されていて、これからの環境温度検出に係るデータ信号を受信することのみ相違する。
【０１２９】
印圧用パラメータ別印圧制御手段６６Ｃの図示しないＲＯＭには、予め実験等で求めた印圧制御パターンテーブル、すなわち各モード別に設定され各種印圧用パラメータの組み合わせに対応して設定された最適な印圧の強さに関する印圧制御パターンテーブル、換言すれば各モード別に設定され各種印圧用パラメータの組み合わせに対応した印圧制御モータ１４の回転駆動量（スプリング長さ検知センサ１３のパルス数として出力される）に関する印圧制御パターンテーブルや、印圧用パラメータ別印圧制御手段６６Ｃの図示しないＣＰＵによる制御、演算機能を発揮するためのプログラム等が予め記憶されている。
【０１３０】
印圧用パラメータ別印圧制御手段６６Ｃの上記ＣＰＵ（以下、「印圧用パラメータ別印圧制御手段６６Ｃ」というときがある）は、インキ種類設定キー３５からのインキ種類設定信号、マスタ種類設定キー３７からのマスタ種類設定信号、用紙種類設定キー４０からの用紙種類設定信号、環境温度検出センサ７７からの環境温度検出信号、印刷速度センサ１６４からの印刷速度検出信号に基づいて、またスプリング長さ検知センサ１３や印圧ホームポジションセンサ９等からのデータ信号やオン／オフ信号等を参照しながら、上記ＲＯＭの印圧制御パターンテーブルから最適な印圧とするための各種印圧用パラメータの組み合わせに対応した印圧制御モータ１４の回転駆動量（スプリング長さ検知センサ１３のパルス数として出力される）に係る印圧データを選択して、所定の印圧になるように印圧可変手段２０の印圧制御モータ１４を制御する制御機能を有する。
【０１３１】
印圧用パラメータ別印圧制御手段６６Ｃは、印刷ドラム１０１上の同じ製版済みのマスタ６１を用いて印刷を行う次回の印刷時に、前回の最終印刷時に使用した上記モード以外の印刷条件を記憶手段６５から選択し呼び出して印刷動作を行わせる制御機能を有する。
すなわち、印圧用パラメータ別印圧制御手段６６Ｃは、電源スイッチ５８が押されて電力オンとなった後、印刷スタートキー４５からの印刷スタート信号に基づいて印刷ドラム１０１の脱着有無の検知を実施して、取り外し・脱着していないと判断し、印刷ドラム１０１上の同じ製版済みのマスタ６１を用いて印刷を行う次回（今回）の印刷時に、前回の最終印刷時に使用した上記各種印圧用パラメータに係る印刷条件を記憶手段６５から選択し呼び出してそれに対応した印刷動作を行うように印圧制御モータ１４を制御するものである。
変形例３の動作については、上述した実施形態１や変形例１の動作および上述した制御構成等から容易に理解して実施できるためこれ以上の説明を省略する。
【０１３２】
（変形例４）
図１５に、変形例４を示す。変形例４は、変形例１と比較して、変形例１の操作パネル３０Ａに代えて、実施形態１と同様の操作パネル３０を有すること、変形例１のインキ種類設定キー３５に代えて、印刷ドラム１０１内のインキ種類を自動的に検出するインキ種類検出手段１３５を有すること、変形例１のマスタ種類設定キー３７に代えて、マスタ種類を自動的に検出するマスタ種類検出手段１４１を有すること、変形例１の用紙種類設定キー４０に代えて、用紙種類を自動的に検出する用紙種類検出手段１４７を有すること、および制御装置６３Ａに代えた制御装置６３Ｄを有することが主に相違する。
【０１３３】
インキ種類検出手段１３５は、図１６に示すように、印刷ドラムごとに予め設定されているインキ種類を検出する印刷ドラム内インキ種類検出手段であり、各ドラムユニット１４０，１４０Ａ，１４０Ｂの後フレーム１０１Ａに配置されたマグネット１３０，１３１、１３２と、各マグネット１３０，１３１、１３２に選択的に対向するように装置本体フレーム５０に配置された各ホール素子センサ１３６，１３７，１３８からなる。
このようなインキ種類検出手段１３５を有することで、例えば、黒色インキＣｋのドラムユニット１４０が装置本体フレーム５０に装着されたときには、マグネット１３０が装置本体フレーム５０のホール素子センサ１３８と相対向してホール素子センサ１３８がオンすることで、黒色インキＣｋのドラムユニット１４０が装着されていることが検知される。同様にして、赤色インキＡｋのドラムユニット１４０Ａが装置本体フレーム５０に装着されたときには、マグネット１３１が装置本体フレーム５０のホール素子センサ１３６と相対向してホール素子センサ１３６がオンすることで、青色インキＢｋのドラムユニット１４０Ｂが装置本体フレーム５０に装着されたときには、マグネット１３２が装置本体フレーム５０のホール素子センサ１３７と相対向してホール素子センサ１３７がオンすることで、それぞれ赤色インキＡｋのドラムユニット１４０Ａ、青色インキＢｋのドラムユニット１４０Ｂが装着されていることが検知される。このように、色替え印刷時において、ドラムユニットに配設されているインキ種類の数（この例ではインキの色の数）によって、マグネットの位置や個数を異なるように配置し、かつ、それらに相対向する装置本体フレーム５０の所定位置にホール素子センサを適宜配置することで、より多数のドラム内のインキの種類を検出することができる。
【０１３４】
マスタ種類検出手段１４１は、図１７に示すように、マスタロール６１ｂの芯管６１ａを上記マスタ支持部材にセットしたときに、マスタ６１のインキ通過性に関するマスタ種類を識別・検出する。このために、マスタ種類検出手段１４１は、マスタロール６１ｂの引き出し先端部に貼り付けられた識別表示体１４２と、該識別表示体１４２に表示された内容を検知する検知手段としての例えば複数（図１７では３つ）の反射型の光学センサ１４３とを有している。
【０１３５】
識別表示体１４２は、図１８に示すように、裏面のシールを剥がして接着可能な白色のシート１４２ａと、該シート１４２ａの表面に形成された３つの円形マーク１４２ｂから構成されており、円形マーク１４２ｂの何れかまたは複数個の組み合わせを黒色とすることによりマスタ種類を検出するようになっている。  マスタ種類を記号化ないし暗号化して識別するようにしてもよい。識別表示体１４２は、芯管６１ａやマスタロール６１ｂの側面に設け、これに対応・対向した位置にマスタ種類検出手段１４１を設けてもよい。
マスタ種類検出手段１４１は、上述したものに限らず、図１９に示すように、マスタロール６１ｂ（芯管６１ａを含む）に設けられる発信手段としてのＩＣタグ１４４と、製版給版装置９０の装置本体フレーム５０に設けられる受信手段１４５とから構成してもよい。ＩＣタグ１４４のＩＣチップ１４４ａにはマスタ種類が記録されており、記録内容が発信されるようになっている。また、マスタロール６１ｂ側に共振タグ等を設けて検出するようにしてもよいし、あるいは静電容量を検出し、その値でマスタ種類を検出するようにしてもよい。例えば、マスタロール６１ｂまたは芯管６１ａの適当な箇所に被検知手段としてのチップ等の小型のコンデンサを搭載し、製版給版装置９０の装置本体フレーム５０に設けられた検知手段としての静電容量検出器等でこれを検出する。また、抵抗値を検出し、その値でマスタ種類を検出するようにしてもよい。例えば、マスタロール６１ｂまたは芯管６１ａの適当な箇所に被検知手段としてのチップ等の小型の抵抗体を搭載し、製版給版装置９０の装置本体に設けられた検知手段としての抵抗検出器等でこれを検出する。抵抗を持ったテープ状体ないしシート状体を芯管６１ａの側面または内側に貼り付ける構成としてもよい。
【０１３６】
用紙種類検出手段１４７は、例えば本願出願人が提案した特開２００１−３２８３３２号公報の図５に示されている用紙種類検知センサ（４０）と同様のものを使用している。すなわち、用紙種類検出手段１４７は、上記公報の段落番号「００５９」ないし「００６５」に記載されているように、図１に示す給紙台５１上の最上位面の印刷用紙６２が給紙位置を占めている状態の給紙コロ１１１寄りの最上位面の印刷用紙６２上方近傍に、最上位面の印刷用紙６２上面の搬送時の跳ね上がり等を規制する図示しない部材と共に配置されている。
用紙種類検出手段１４７（用紙種類検知センサ（４０））は、上記公報の図５に詳しく示されているように、印刷用紙６２の表面に光を投射する発光手段としての発光素子（４０ａａ）を備えた発光部（４０ａ）と、その印刷用紙６２の表面で反射された反射光を受ける受光手段としての複数の受光素子（４０ｂａ）を備えた受光部（４０ｂ）とを有し、これらの発光部（４０ａ）および受光部（４０ｂ）は、搬送されることで移動する印刷用紙６２に対して、受光部（４０ｂ）の複数の受光素子（４０ｂａ）が受けた反射光の受光位置のバラツキを認識することにより用紙種類を自動的に検出するものである。
【０１３７】
用紙種類検出手段１４７は、印刷用紙６２の表面状態の粗密状態を認識し検出することで、インキの滲み具合を検出することができる。用紙種類検出手段１４７は、上記した用紙種類検知センサ（４０）に限らず、例えば特開平７−１７２６３５号公報の図１および段落番号（０００７）や段落番号（００１４）ないし（００１９）等に開示されているものであってもよいし、特開平９−６９９６０号公報の段落番号（００２３）に記載されているように、印刷用紙６２の表面粗さを検出するセンサ手段（表面粗さ検出手段）を用いることによって用紙種類を識別・検出するものであってもよい。
【０１３８】
制御装置６３Ｄは、変形例１の制御装置６３Ａと比較して、印圧用パラメータ別印圧制御手段６６Ａに代えた印圧用パラメータ別印圧制御手段６６Ｄを有することが相違する。制御装置６３Ｄは、モード別印圧制御手段６４、印圧用パラメータ別印圧制御手段６６Ｄおよび記憶手段６５とを具備する。モード別印圧制御手段６４と記憶手段６５とは、印圧用パラメータ別印圧制御手段６６Ｄと記憶手段６５とは、モード別印圧制御手段６４と印圧用パラメータ別印圧制御手段６６Ｄとは、それぞれ指令信号やデータ信号を互いに送受信する関係にある。
制御装置６３Ｄは、変形例１の制御装置６３Ａの入力構成と比較して、上記入力ポートおよび図示しないセンサ回路等を介して、インキ種類設定キー３５に代えたインキ種類検出手段１３５（ホール素子センサ１３６，１３７，１３８）に、マスタ種類設定キー３７に代えたマスタ種類検出手段１４１（光学センサ１４３）に、用紙種類設定キー４０に代えた用紙種類検出手段１４７に、それぞれ電気的に接続されていて、これらからのインキ種類、マスタ種類、用紙種類に係るデータ信号を受信することのみ相違する。
【０１３９】
印圧用パラメータ別印圧制御手段６６Ｄの図示しないＲＯＭには、予め実験等で求めた印圧制御パターンテーブル、すなわち各モード別に設定され各種印圧用パラメータの組み合わせに対応して設定された最適な印圧の強さに関する印圧制御パターンテーブル、換言すれば各モード別に設定され各種印圧用パラメータの組み合わせに対応した印圧制御モータ１４の回転駆動量（スプリング長さ検知センサ１３のパルス数として出力される）に関する印圧制御パターンテーブルや、印圧用パラメータ別印圧制御手段６６Ｄの図示しないＣＰＵによる制御、演算機能を発揮するためのプログラム等が予め記憶されている。
【０１４０】
印圧用パラメータ別印圧制御手段６６Ｄの上記ＣＰＵ（以下、「印圧用パラメータ別印圧制御手段６６Ｄ」というときがある）は、インキ粘度検出装置７６からのインキ粘度検出信号、インキ種類検出手段１３５からのインキ種類検出信号、マスタ種類検出手段１４１からのマスタ種類検出信号、用紙種類検出手段１４７からの用紙種類検出信号、印刷速度センサ１６４からの印刷速度検出信号に基づいて、またスプリング長さ検知センサ１３や印圧ホームポジションセンサ９等からのデータ信号やオン／オフ信号等を参照しながら、上記ＲＯＭの印圧制御パターンテーブルから最適な印圧とするための各種印圧用パラメータの組み合わせに対応した印圧制御モータ１４の回転駆動量（スプリング長さ検知センサ１３のパルス数として出力される）に係る印圧データを選択して、所定の印圧になるように印圧可変手段２０の印圧制御モータ１４を制御する制御機能を有する。
【０１４１】
印圧用パラメータ別印圧制御手段６６Ｄは、印刷ドラム１０１上の同じ製版済みのマスタ６１を用いて印刷を行う次回の印刷時に、前回の最終印刷時に使用した上記モード以外の印刷条件を記憶手段６５から選択し呼び出して印刷動作を行わせる制御機能を有する。
すなわち、印圧用パラメータ別印圧制御手段６６Ｄは、電源スイッチ５８が押されて電力オンとなった後、印刷スタートキー４５からの印刷スタート信号に基づいて印刷ドラム１０１の脱着有無の検知を実施して、取り外し・脱着していないと判断し、印刷ドラム１０１上の同じ製版済みのマスタ６１を用いて印刷を行う次回（今回）の印刷時に、前回の最終印刷時に使用した上記各種印圧用パラメータに係る印刷条件を記憶手段６５から選択し呼び出してそれに対応した印刷動作を行うように印圧制御モータ１４を制御するものである。
変形例４の動作については、上述した実施形態１や変形例１の動作および上述した制御構成等から容易に理解して実施できるためこれ以上の説明を省略する。変形例４では、操作パネル３０の液晶表示部４９Ｂに、インキ種類、マスタ種類や用紙種類を適宜表示させればよい。
【０１４２】
上述した変形例１ないし４では、モード別印圧制御手段６４によって、写真モード設定キー３３による写真モード設定時には文字・写真モード設定時よりも、文字・写真モード設定キー３２による文字・写真モード設定時には文字モード設定キー３１で設定された文字モード設定時よりも、それぞれ印圧が低くなるように印圧可変手段２０の印圧制御モータ１４をいわば大まかに制御すると共に、加えて印刷画像の最適化を行うべく、印圧用パラメータ別印圧制御手段６６Ａ〜６６Ｄによって各種印圧用パラメータを加味することによって印圧を所定の印圧となるようにより木目細かく印圧可変手段２０の印圧制御モータ１４を制御するものであった。
上述した印圧用パラメータ別印圧制御手段６６Ａ〜６６Ｄによるような木目の細かい印圧制御をそれ程望まなくてもよいのであれば、例えば変形例１ないし４の制御構成要素を適宜除去して、これらを組み合わせたものからなる印圧用パラメータを用いた制御構成であってもよい。すなわち、インキ粘度検出装置７６、環境温度検出センサ７７およびインキ温度検出センサ７８の何れか１つ、インキ種類検出手段１３５およびインキ種類設定キー３５の何れか１つ、印刷速度センサ１６４、用紙種類検出手段１４７および用紙種類設定キー４０の何れか１つ、マスタ種類検出手段１４７およびマスタ種類設定キー３７の何れか１つの、印圧を介して印刷画質に影響を与える印圧用パラメータを検出または設定する手段を少なくとも１つ有し、少なくとも１つの印圧用パラメータを検出または設定する手段によって、検出または設定された少なくとも１つの印圧用パラメータに応じて、印圧が所定の印圧になるように印圧可変手段２０を制御する印圧用パラメータ別印圧制御手段を有するものであってもよい（請求項５参照）。
【０１４３】
ちなみに、上述した印圧用パラメータ別印圧制御手段に関して、例えばサプライに関する印圧用パラメータ、すなわちインキ種類、マスタ種類および用紙種類に係る印圧用パラメータの何れか１つのみを有する最も簡素な制御構成例を挙げれば次のとおりである。
第１の例示としては、インキ種類検出手段１３５およびインキ種類設定キー３５の何れか１つの印圧用パラメータを有し、インキ種類検出手段１３５およびインキ種類設定キー３５の何れか１つにより検出または設定されたインキ種類（印圧用パラメータ）に応じて、印圧が所定の印圧になるように印圧可変手段２０を制御する印圧用パラメータ別印圧制御手段を有するものである。
第２の例示としては、用紙種類検出手段１４７および用紙種類設定キー４０の何れか１つの印圧用パラメータを有し、用紙種類検出手段１４７および用紙種類設定キー４０の何れか１つにより検出または設定された用紙種類（印圧用パラメータ）に応じて、印圧が所定の印圧になるように印圧可変手段２０を制御する印圧用パラメータ別印圧制御手段を有するものである。
第３の例示としては、マスタ種類検出手段１４７およびマスタ種類設定キー３７の何れか１つの印圧用パラメータを有し、マスタ種類検出手段１４７およびマスタ種類設定キー３７の何れか１つにより検出または設定されたマスタ種類（印圧用パラメータ）に応じて、印圧が所定の印圧になるように印圧可変手段２０を制御する印圧用パラメータ別印圧制御手段を有するものである。
上述したように各種印圧用パラメータの組み合わせを考えると、多数の組み合わせがあるため請求項５のような総括的な表現とした。
【０１４４】
変形例１ないし４においては、製版給版装置９０を構成している製版手段としてのサーマルヘッド９１を除去した構成であってもよいし、あるいは製版給版装置９０自体を除去した構成であってもよい。さらには、サーマルヘッド９１および記憶手段６５を除去した構成であってもよいし、あるいは製版給版装置９０自体および記憶手段６５を除去した構成であってもよい。
変形例１ないし４の何れか１つの構成からサーマルヘッド９１を除去した構成例としては、例えば予め製版されたマスタ６１を巻いて形成したマスタロールから製版済みのマスタ６１を繰り出し、これを給版手段を構成するプラテンローラ９２、送りローラ対９３ａ，９３ｂおよび給版ローラ対９４ａ，９４ｂによって印刷ドラム１０１に給版し巻装した後、上記各モードと類似する後述する各印刷モードによる印圧可変制御を伴う印刷動作を実行させる印刷モード別印圧制御手段と、各印刷モードを設定するための印刷モード設定手段と、インキ粘度検出装置７６、環境温度検出センサ７７およびインキ温度検出センサ７８の何れか１つ、インキ種類検出手段１３５およびインキ種類設定キー３５の何れか１つ、印刷速度センサ１６４、用紙種類検出手段１４７および用紙種類設定キー４０の何れか１つ、マスタ種類検出手段１４７およびマスタ種類設定キー３７の何れか１つの、印圧を介して印刷画質に影響を与える印圧用パラメータを検出または設定する手段を少なくとも１つ有し、少なくとも１つの印圧用パラメータを検出または設定する手段によって検出または設定された少なくとも１つの印圧用パラメータに応じて、印圧が所定の印圧になるように印圧可変手段２０を制御する印圧用パラメータ別印圧制御手段を有するものであってもよい（請求項２参照）。
【０１４５】
請求項２に係る上記構成に加えて、電源スイッチ５８によって上記各装置への電力の供給を断った後における、前回の最終印刷時に使用した印刷モードおよび印刷条件を記憶する記憶手段を有し、印刷モード別印圧制御手段は、電源スイッチ５８が押されて電力オンとなった後、印刷スタートキー４５からの印刷スタート信号に基づいて印刷ドラム１０１の脱着有無の検知を実施して取り外し・脱着していないと判断し、印刷ドラム１０１上の同じ製版済みのマスタ６１を用いて印刷を行う次回の印刷時に、前回の最終印刷時に使用した印刷モード、各種印圧用パラメータに係る印刷条件および表示内容を記憶手段から選択し呼び出してそれに対応した印刷動作を行うように印圧制御モータ１４を制御すると共に、ＬＥＤ駆動回路あるいはＬＣＤ駆動回路を制御する孔版印刷装置を含む印刷装置であってもよい（請求項３参照）。
【０１４６】
（変形例５）
図２０および図２１に、変形例１の変形例５を示す。以下、説明する変形例５ないし８等は、変形例１ないし４等の各種印圧用パラメータに基づく印圧制御だけでは最適な印刷画質を得ることができないような際に、サーマルヘッド９１の個々の発熱素子９１ａへ供給する穿孔用エネルギー（以下、「穿孔エネルギー」という）を調整して、印刷画像の最適化を行うものである。
【０１４７】
まず、図２１の表を参照して、サーマルヘッド９１の個々の発熱素子９１ａへ供給する穿孔エネルギー量に影響を与える穿孔エネルギー用パラメータ、パラメータ別エネルギー調整手段およびその制御について説明しておく。
このパラメータ別エネルギー調整手段は、例えば特許第２７５６２１９号公報（特開平６−３２０８５１号公報）に記載されている基本的な技術事項と同様である。すなわち、本変形例５を含め孔版印刷装置においては、印刷画像濃度を含む印刷画質は製版済みのマスタ６１の穿孔部分から滲み出るインキの量、すなわち印刷用紙６２へのインキ転移量により決定される。インキ転移量は、マスタ６１に形成された穿孔パターンを構成する個々の微小な穿孔の開口面積に比例的である。
一方、製版済みのマスタ６１の個々の穿孔の大きさはサーマルヘッド９１の個々の発熱素子９１ａの発熱温度に対応する発熱素子９１ａに供給する穿孔エネルギーによって定まる。
【０１４８】
そして、特許第２７５６２２４号の特許公報の図３等に示されている技術事項等から、サーマルヘッド９１の個々の発熱素子９１ａに供給する穿孔エネルギーによりマスタ６１に形成される穿孔パターンの１単位としての穿孔の大きさ（マスタ穿孔径）を制御できる。この事情は、発熱素子が矩形型でも熱集中型でも同様である。
穿孔エネルギーの調整は、特許第２７５６２１９号公報に記載されているように、画像信号に応じてサーマルヘッド９１の個々の発熱素子９１ａに流す電流値もしくは発熱素子９１ａに印加する電圧値の変化により行うようにしてもよいが、上記実施形態１を含め本変形例５においては、上記サーマルヘッド駆動回路を介してサーマルヘッド９１の発熱素子９１ａへ供給する通電パルス幅の変化により行う。
【０１４９】
従って、図２１に示すように、インキ種類を含めインキが硬く流動性が低い高粘度状態にあるとき（インキ粘度が大きいとき）は、穿孔エネルギーとしての通電パルス幅を相対的に大きくして穿孔パターンを形成する個々のマスタ穿孔径を大きくすることにより、インキの流動性が低いことに起因するインキ転移量（滲み出し量）の低下を補って良好な印刷画質を得ることができる。逆に、インキが柔らかくて流動性が高い低粘度状態のとき（インキ粘度が小さいとき）には、通電パルス幅を相対的に小さくして個々のマスタ穿孔径を小さくすることにより、インキの流動性が高いことに起因するインキ転移量の増大を抑制して良好な印刷画質を得ることができる。
【０１５０】
環境温度は、その高低により各々のインキの流動性に影響を与え、これにより各々のインキの粘度が異なる。上述したインキ粘度と印圧との関係から、直ちに次のことが言える。
環境温度が比較的低い状態、すなわちインキが硬く流動性が低い高粘度状態にあるときは、通電パルス幅を相対的に大きくして個々のマスタ穿孔径を大きくすることにより、環境温度が低くインキの流動性が低いことに起因するインキ転移量の低下を補って良好な印刷画質を得ることができる。逆に、環境温度が高い状態、すなわちインキが柔らかくて流動性が高い低粘度状態のときには、通電パルス幅を相対的に小さくして個々のマスタ穿孔径を小さくすることにより、環境温度が高くインキの流動性が高いことに起因するインキ転移量の増大を抑制して良好な印刷画質を得ることができる。
【０１５１】
インキ温度については、上記した環境温度と比較して、その高低により環境温度よりもより一層直接的かつ鋭敏にインキ粘度に影響を与えることのみ相違し、その高低と印圧方向性との関係は同様の傾向にある。インキ種類については、インキ粘度との関係において上述したとおりである。
上述したことから、インキ粘度、これに密接に関係する環境温度、インキ温度、インキ種類に拘らず良好な印刷画質を得るには、インキ粘度、環境温度、インキ温度、インキ種類にそれぞれ適した大きさの通電パルス幅で穿孔・製版を行えばよい。すなわち、インキ粘度、環境温度、インキ温度、インキ種類の一々に応じて、最適な印刷画像を得るための通電パルス幅の大きさが定まる。
【０１５２】
マスタ種類については、その違いによりインキ通過性に影響を及ぼすことによって、インキ転移量が異なる。すなわち、そのインキ通過性が比較的大きいマスタ６１においては、インキ転移量が多くなり、そのインキ通過性が比較的小さいマスタ６１においては、インキ転移量が少なくなる傾向にある。
従って、マスタ６１が比較的インキ通過性の小さいときには、通電パルス幅を相対的に大きくして個々のマスタ穿孔径を大きくすることにより、インキ通過性が小さいことに起因するインキ転移量の低下を補って良好な印刷画質を得ることができる。逆に、マスタ６１が比較的インキ通過性の大きいときには、通電パルス幅を相対的に小さくして個々のマスタ穿孔径を小さくすることにより、インキ通過性が大きいことに起因するインキ転移量の増大を抑制して良好な印刷画質を得ることができる。
【０１５３】
印刷速度は、その遅速によりインキ転移量に影響を与える。すなわち、印刷速度が比較的遅いときには、印刷ドラム１０１上の製版済みのマスタ６１に印刷用紙６２が押圧される時間が長くなって、インキ転移量が多くなり、印刷速度が比較的速いときには、印刷ドラム１０１上の製版済みのマスタ６１に印刷用紙６２が押圧される時間が短くなって、インキ転移量が少なくなる傾向にある。
従って、印刷速度が比較的速いときには、通電パルス幅を相対的に大きくして個々のマスタ穿孔径を大きくすることにより、印刷速度が速いことに起因するインキ転移量の低下を補って良好な印刷画質を得ることができる。逆に、印刷速度が比較的遅いときには、通電パルス幅を相対的に小さくして個々のマスタ穿孔径を小さくすることにより、印刷速度が遅いことに起因するインキ転移量の増大を抑制して良好な印刷画質を得ることができる。
【０１５４】
用紙種類については、その被印刷表面状態の違い、より具体的にはその表面平滑性（用紙表面の粗さ）を含むインキ浸透性によるインキの滲み具合により、インキ転移量に影響を与える。すなわち、例えばコート紙のような比較的インキの滲み具合の小さい印刷用紙６２に印刷するときには、インキ転移量が少なくなり、孔版上質紙のような比較的インキの滲み具合の大きい印刷用紙６２に印刷するときには、インキ転移量が多くなる。
従って、比較的インキの滲み具合の小さい印刷用紙６２を用いるときには、通電パルス幅を相対的に大きくして個々のマスタ穿孔径を大きくすることにより、インキの滲み具合が小さいことに起因するインキ転移量の低下を補って良好な印刷画質、より具体的には適正な画像面積の印刷画像を得ることができる。逆に、比較的インキの滲み具合の大きい印刷用紙６２を用いるときには、通電パルス幅を相対的に小さくして個々のマスタ穿孔径を小さくすることにより、インキの滲み具合が大きいことに起因するインキ転移量の増大を抑制して良好な印刷画質、より具体的には適正な画像面積の印刷画像を得ることができる。
【０１５５】
変形例５は、変形例１と比較して、制御装置６３Ａに代えて、図２０に示す制御装置６３Ｅを有することが主に相違する。
制御装置６３Ｅは、制御装置６３Ａと比較して、パラメータ別エネルギー調整手段６７Ｅを有することが主に相違する。制御装置６３Ｅは、モード別印圧制御手段６４、印圧用パラメータ別印圧制御手段６６Ａ、記憶手段６５およびパラメータ別エネルギー調整手段６７Ｅを具備する。
【０１５６】
パラメータ別エネルギー調整手段６７Ｅは、制御装置６３Ａのそれと比較して小規模のマイクロコンピュータを具備している。パラメータ別エネルギー調整手段６７Ｅの図示しないＲＯＭには、予め実験等で求めた穿孔エネルギー調整パターンテーブル、すなわち各モード別に設定された「各種穿孔エネルギー用パラメータの組み合わせと最適なマスタ穿孔径（穿孔の開口面積）を形成するための穿孔エネルギー（ここでは通電パルス幅として出力される）との関係」に関する穿孔エネルギー調整パターンテーブルや、パラメータ別エネルギー調整手段６７Ｅの図示しないＣＰＵによる制御、演算機能を発揮するためのプログラムや穿孔エネルギー調整のためのプログラム等が予め記憶されている。
【０１５７】
パラメータ別エネルギー調整手段６７Ｅの上記ＣＰＵ（以下、「パラメータ別エネルギー調整手段６７Ｅ」というときがある）は、インキ種類設定キー３５からのインキ種類設定信号、マスタ種類設定キー３７からのマスタ種類設定信号、用紙種類設定キー４０からの用紙種類設定信号、インキ粘度検出装置７６からのインキ粘度検出信号、印刷速度センサ１６４からの印刷速度検出信号に基づいて、上記ＲＯＭの穿孔エネルギー調整パターンテーブルから最適なマスタ穿孔径とするための各種穿孔エネルギー用パラメータの組み合わせに対応したサーマルヘッド９１の個々の発熱素子９１ａへ供給する穿孔エネルギーとしての通電パルス幅データを選択して、サーマルヘッド９１の個々の発熱素子９１ａへ供給する穿孔エネルギーが所定のエネルギーになるようにサーマルヘッド９１を制御する制御機能を有する。
【０１５８】
変形例５の動作について、変形例１の動作と相違する点を中心に説明する。  先ず、使用者は電源スイッチ５８を押して電力オン状態にすると、操作パネル３０Ａおよび制御装置６３Ｅ等が起動可能状態になると共に、上記各装置等への電力供給可能状態となる。これに前後して上記原稿載置台に文字画像、文字・写真混合画像および写真画像のうちの何れか１つを持った原稿６０を載置・セットした後、原稿６０の画像に対応したモード設定キーを押すと、そのモード設定信号が生成されてこれが制御装置６３Ｅおよびモード別印圧制御手段６４に入力されると共に、そのモードに対応したモード表示ランプが点灯する。一実施例的に説明すると、例えば文字画像のみを持った原稿６０を載置・セットするものとした場合、文字モード設定キー３１を押すと、文字モード設定信号が生成されてこれが制御装置６３Ｅおよびモード別印圧制御手段６４に入力されると共に、文字モードに対応した文字モード表示ランプ３４ａが点灯する。
【０１５９】
この後、操作パネル３０Ａで設定できる各種印刷条件に係る穿孔エネルギー用パラメータおよび印圧用パラメータを入力する。すなわち、使用者はインキ種類設定キー３５でインキ種類を、マスタ種類設定キー３７でマスタ種類を、用紙種類設定キー４０で用紙種類を、印刷速度設定キー４７で印刷速度を、それぞれ設定すると、それらの穿孔エネルギー用パラメータに係る各種設定信号が制御装置６３Ｅ内のパラメータ別エネルギー調整手段６７Ｅに取り込まれ、記憶手段６５にそれぞれ一時記憶され、穿孔エネルギー調整の条件とされる。同時に、上記印圧用パラメータに係る各種設定信号が印圧用パラメータ別印圧制御手段６６Ａに取り込まれ、記憶手段６５にそれぞれ一時記憶され、印圧制御の条件とされる。同時に、上記各穿孔エネルギー用パラメータおよび上記各印圧用パラメータに対応した各種表示ランプが点灯する。
【０１６０】
一実施例的に説明すると、例えばインキ種類設定キー３５を１回押下して黒色のインキを内蔵したドラムユニット１４０を選択・設定することでそのインキ種類設定信号が、マスタ種類設定キー３７を１回押下して装着しているインキ通過性の比較的大きいマスタ６１を選択・設定することでそのマスタ種類設定信号が、用紙種類設定キー４０を１回押下してＰＰＣ用紙を選択・設定することでその用紙種類設定信号が、印刷速度設定キー４７の速度アップキー４７ｂを押下して設定印刷速度：５速を選択することで印刷速度設定信号：５速が、それぞれパラメータ別エネルギー調整手段６７Ｅに取り込まれ、記憶手段６５にそれぞれ一時記憶され、穿孔エネルギー調整の条件とされる。また、テンキー４６で設定された印刷枚数設定信号は制御装置６３Ｅ内の上記ＣＰＵに取り込まれ、上記ＲＡＭに一時記憶される。
これと同時に、上記各穿孔エネルギー用パラメータに対応した各種表示ランプ、黒色インキ表示ランプ３６ａ、マスタ表示ランプ３８ａ、ＰＰＣ用紙表示ランプ４１ａがそれぞれ点灯する。また、パラメータ別エネルギー調整手段６７Ｅからの指令によって、設定印刷速度：５速に対応した速度表示器４８のＬＥＤランプが点灯すると共に、制御装置６３Ｅの上記ＣＰＵの指令によって、上記印刷枚数の数値表示が表示部４９Ａになされる。
【０１６１】
次いで、使用者が製版スタートキー４４を押すと、製版スタート信号が生成されこの製版スタート信号がトリガとなって上述したと同様の排版工程が実行される。次いで、インキ粘度を検出するために、図１および図７を借りて説明すると、印刷ドラム１０１が図１中矢印Ａ方向にアイドリング回転され、変形例１と同様にして、インキ粘度検出装置７６によってインキ粘度が検出される。検出されたインキ粘度に係る信号は、最終的にデジタル量に変換されて制御装置６３Ｅ内のパラメータ別エネルギー調整手段６７Ｅおよび印圧用パラメータ別印圧制御手段６６Ａに取り込まれる。
【０１６２】
上記インキ粘度検出信号がパラメータ別エネルギー調整手段６７Ｅに取り込まれると、先ず、パラメータ別エネルギー調整手段６７Ｅは記憶手段６５から上記インキ種類設定信号を呼び出して、パラメータ別エネルギー調整手段６７Ｅの上記ＲＯＭに予め記憶されている各色ごとの穿孔エネルギー調整パターンテーブルとの照合を行い、インキＣｋに係る穿孔エネルギー調整パターンテーブルを選択する。そして、パラメータ別エネルギー調整手段６７Ｅは、記憶手段６５から上記マスタ種類設定信号、上記用紙種類設定信号、上記印刷速度設定信号：５速を呼び出し、こうして呼び出された上記マスタ種類設定信号、上記用紙種類設定信号、上記印刷速度設定信号および各色ごとの穿孔エネルギー調整パターンテーブルから選択されたインキＣｋに係る穿孔エネルギー調整パターンテーブルと、パラメータ別エネルギー調整手段６７Ｅの上記ＲＯＭに記憶されている各モードごと（実施例的には例えば文字モード）の穿孔エネルギー調整パターンテーブルとの照合を行い、文字モード設定時における上記各種印刷条件に最も適した所定のエネルギーに対応した通電パルス幅を設定する。
【０１６３】
印刷ドラム１０１による所定回数の上記アイドリング回転終了後、原稿読取装置８０では上述したと同様の原稿６０の画像読み取りが行われる。この画像読み取り動作と並行して、例えば文字モード設定時における上記各種印刷条件に最も適した所定のエネルギーに対応した通電パルス幅でサーマルヘッド９１による製版動作が上述したように自動的に実行される。以降の給版、印刷動作は変形例１と同様に行われる。
【０１６４】
写真モード設定時や文字・写真モード設定時には、パラメータ別エネルギー調整手段６７Ｅによって、パラメータ別エネルギー調整手段６７Ｅの上記ＲＯＭに記憶されている各モードごとの穿孔エネルギー調整パターンテーブルとの照合を行い、写真モードや文字・写真モード設定時における上記各種印刷条件に最も適した所定のエネルギーに対応した通電パルス幅を設定し、サーマルヘッド９１を制御することが相違するだけであり、上述した内容から容易に実施できるためこれ以上の説明を省略する。
【０１６５】
（変形例６）
図２２に、変形例６を示す。
変形例６は、変形例２と比較して、制御装置６３Ｂに代えた制御装置６３Ｆを有することが主に相違する。
制御装置６３Ｆは、変形例２の制御装置６３Ｂと比較して、パラメータ別エネルギー調整手段６７Ｆを有することが相違する。
【０１６６】
パラメータ別エネルギー調整手段６７Ｆの図示しないＲＯＭには、予め実験等で求めた穿孔エネルギー調整パターンテーブル、すなわち各モード別に設定された「各種穿孔エネルギー用パラメータの組み合わせと最適なマスタ穿孔径（穿孔の開口面積）を形成するための穿孔エネルギー（ここでは通電パルス幅として出力される）との関係」に関する穿孔エネルギー調整パターンテーブルや、パラメータ別エネルギー調整手段６７Ｆの図示しないＣＰＵによる制御、演算機能を発揮するためのプログラムや穿孔エネルギー調整のためのプログラム等が予め記憶されている。
【０１６７】
パラメータ別エネルギー調整手段６７Ｆの図示しないＣＰＵは、インキ種類設定キー３５からのインキ種類設定信号、マスタ種類設定キー３７からのマスタ種類設定信号、用紙種類設定キー４０からの用紙種類設定信号、インキ温度検出センサ７８からのインキ温度検出信号、印刷速度センサ１６４からの印刷速度検出信号に基づいて、上記ＲＯＭの穿孔エネルギー調整パターンテーブルから最適なマスタ穿孔径とするための各種穿孔エネルギー用パラメータの組み合わせに対応したサーマルヘッド９１の個々の発熱素子９１ａへ供給する穿孔エネルギーとしての通電パルス幅データを選択して、サーマルヘッド９１の個々の発熱素子９１ａへ供給する穿孔エネルギーが所定のエネルギーになるように上記サーマルヘッド駆動回路を介してサーマルヘッド９１を制御する制御機能を有する。
変形例６の動作については、上述した変形例２および５の動作、上述した制御構成等から容易に理解して実施できるためこれ以上の説明を省略する。
【０１６８】
（変形例７）
図２３に、変形例７を示す。
変形例７は、変形例３と比較して、制御装置６３Ｃに代えて、図２３に示す制御装置６３Ｇを有することが主に相違する。
制御装置６３Ｇは、変形例３の制御装置６３Ｃと比較して、パラメータ別エネルギー調整手段６７Ｆを有することが相違する。
【０１６９】
パラメータ別エネルギー調整手段６７Ｇの図示しないＲＯＭには、予め実験等で求めた穿孔エネルギー調整パターンテーブル、すなわち各モード別に設定された「各種穿孔エネルギー用パラメータの組み合わせと最適なマスタ穿孔径（穿孔の開口面積）を形成するための穿孔エネルギー（ここでは通電パルス幅として出力される）との関係」に関する穿孔エネルギー調整パターンテーブルや、パラメータ別エネルギー調整手段６７Ｇの図示しないＣＰＵによる制御、演算機能を発揮するためのプログラムや穿孔エネルギー調整のためのプログラム等が予め記憶されている。
【０１７０】
パラメータ別エネルギー調整手段６７Ｇの図示しないＣＰＵは、インキ種類設定キー３５からのインキ種類設定信号、マスタ種類設定キー３７からのマスタ種類設定信号、用紙種類設定キー４０からの用紙種類設定信号、環境温度検出センサ７７からの環境温度検出信号、印刷速度センサ１６４からの印刷速度検出信号に基づいて、上記ＲＯＭの穿孔エネルギー調整パターンテーブルから最適なマスタ穿孔径とするための各種穿孔エネルギー用パラメータの組み合わせに対応したサーマルヘッド９１の個々の発熱素子９１ａへ供給する穿孔エネルギーとしての通電パルス幅データを選択して、サーマルヘッド９１の個々の発熱素子９１ａへ供給する穿孔エネルギーが所定のエネルギーになるように上記サーマルヘッド駆動回路を介してサーマルヘッド９１を制御する制御機能を有する。
変形例７の動作については、上述した変形例３および５の動作、上述した制御構成等から容易に理解して実施できるためこれ以上の説明を省略する。
【０１７１】
（変形例８）
図２４に、変形例８を示す。変形例８は、変形例４と比較して、制御装置６３Ｄに代えて、図２４に示す制御装置６３Ｈを有することが主に相違する。
制御装置６３Ｈは、変形例４の制御装置６３Ｄと比較して、パラメータ別エネルギー調整手段６７Ｈを有することが相違する。
【０１７２】
パラメータ別エネルギー調整手段６７Ｈの図示しないＲＯＭには、予め実験等で求めた穿孔エネルギー調整パターンテーブル、すなわち各モード別に設定された「各種穿孔エネルギー用パラメータの組み合わせと最適なマスタ穿孔径（穿孔の開口面積）を形成するための穿孔エネルギー（ここでは通電パルス幅として出力される）との関係」に関する穿孔エネルギー調整パターンテーブルや、パラメータ別エネルギー調整手段６７Ｈの図示しないＣＰＵによる制御、演算機能を発揮するためのプログラムや穿孔エネルギー調整のためのプログラム等が予め記憶されている。
【０１７３】
パラメータ別エネルギー調整手段６７Ｈの図示しないＣＰＵは、インキ粘度検出装置７６からのインキ粘度検出信号、インキ種類検出手段１３５からのインキ種類検出信号、マスタ種類検出手段１４１からのマスタ種類検出信号、用紙種類検出手段１４７からの用紙種類検出信号、印刷速度センサ１６４からの印刷速度検出信号に基づいて、上記ＲＯＭの穿孔エネルギー調整パターンテーブルから最適なマスタ穿孔径とするための各種穿孔エネルギー用パラメータの組み合わせに対応したサーマルヘッド９１の個々の発熱素子９１ａへ供給する穿孔エネルギーとしての通電パルス幅データを選択して、サーマルヘッド９１の個々の発熱素子９１ａへ供給する穿孔エネルギーが所定のエネルギーになるように上記サーマルヘッド駆動回路を介してサーマルヘッド９１を制御する制御機能を有する。
変形例７の動作については、上述した変形例４および５の動作、上述した制御構成等から容易に理解して実施できるためこれ以上の説明を省略する。
【０１７４】
上述した変形例５ないし８では、変形例１ないし４等の各種印圧用パラメータに基づく印圧制御だけでは良好な印刷画質を得ることができない際に、各種穿孔エネルギー用パラメータに基づくサーマルヘッド９１の個々の発熱素子９１ａへ供給する穿孔エネルギーを調整して、印刷画像の最適化を行うものであった。
【０１７５】
上述したパラメータ別エネルギー調整手段６７Ｅ〜６６Ｈによるような木目の細かい穿孔エネルギー調整をそれ程望まなくてもよいのであれば、例えば変形例５ないし８の制御構成要素を適宜除去して、これらを組み合わせたものからなる穿孔エネルギー用パラメータを用いた制御構成であってもよい。すなわち、インキ粘度検出装置７６、環境温度検出センサ７７およびインキ温度検出センサ７８の何れか１つ、インキ種類検出手段１３５およびインキ種類設定キー３５の何れか１つ、印刷速度センサ１６４、用紙種類検出手段１４７および用紙種類設定キー４０の何れか１つ、マスタ種類検出手段１４７およびマスタ種類設定キー３７の何れか１つの、サーマルヘッド９１の個々の発熱素子９１ａに供給する穿孔エネルギーを介して印刷画質に影響を与える穿孔エネルギー用パラメータを検出または設定する手段を少なくとも１つ有し、少なくとも１つの穿孔エネルギー用パラメータを検出または設定する手段によって検出または設定された少なくとも１つの穿孔エネルギー用パラメータに応じて、サーマルヘッド９１の個々の発熱素子９１ａに供給する穿孔エネルギーを所定のエネルギーに調整するパラメータ別エネルギー調整手段を有するものであってもよい（請求項６参照）。
【０１７６】
ちなみに、上述したパラメータ別エネルギー調整手段に関して、例えばサプライに関する穿孔エネルギー用パラメータ、すなわちインキ種類、マスタ種類および用紙種類に係る穿孔エネルギー用パラメータの何れか１つのみを有する最も簡素な制御構成例を挙げれば次のとおりである。
第１の例示としては、インキ種類検出手段１３５およびインキ種類設定キー３５の何れか１つの穿孔エネルギー用パラメータを有し、インキ種類検出手段１３５およびインキ種類設定キー３５の何れか１つにより検出または設定されたインキ種類（穿孔エネルギー用パラメータ）に応じて、サーマルヘッド９１の個々の発熱素子９１ａに供給する穿孔エネルギーを所定のエネルギーに調整するパラメータ別エネルギー調整手段を有するものである。
第２の例示としては、用紙種類検出手段１４７および用紙種類設定キー４０の何れか１つの穿孔エネルギー用パラメータを有し、用紙種類検出手段１４７および用紙種類設定キー４０の何れか１つにより検出または設定された用紙種類（穿孔エネルギー用パラメータ）に応じて、サーマルヘッド９１の個々の発熱素子９１ａに供給する穿孔エネルギーを所定のエネルギーに調整するパラメータ別エネルギー調整手段を有するものである。
第３の例示としては、マスタ種類検出手段１４７およびマスタ種類設定キー３７の何れか１つの穿孔エネルギー用パラメータを有し、マスタ種類検出手段１４７およびマスタ種類設定キー３７の何れか１つにより検出または設定されたマスタ種類（穿孔エネルギー用パラメータ）に応じて、サーマルヘッド９１の個々の発熱素子９１ａに供給する穿孔エネルギーを所定のエネルギーに調整するパラメータ別エネルギー調整手段を有するものである。
上述したように各種穿孔エネルギー用パラメータの組み合わせを考えると、多数の組み合わせがあるため請求項６のような総括的な表現とした。
【０１７７】
印圧可変手段２０は、これに限らず、例えば上記特開平１０−３１５５９９号公報の図１６に示されているような押圧手段としての圧胴（１２５）を用いて、印圧可変手段（２０Ａ）により印圧制御を行うものであってもよい。また、上記特許文献１ないし７に開示されている種々の形態の印圧可変手段を使用してもよい。インキ種類検出手段は、例えば、特開平６−１９９０２８号公報の図２および図４等に記載されているディップスイッチ１３３，１３５や、バーコード等の符号読み取り検出装置、印刷ドラムに配設された色識別形状部の光電センサによる識別、あるいは印刷ドラムに供給されるインキの色自体を直接的に検出する色検出センサ等を設けて、使用する印刷ドラム内のインキの種類を検出するものであってもよい。
また、インキ供給装置１１９は、これに限定されず、例えば特開平７−１７０１３号公報に示されているような印刷ドラムの外側からインキを供給する構成の印刷装置にも適用することができる。
【０１７８】
【発明の効果】
以上述べたように、本発明によれば、上述したような従来装置の有する諸問題点を解決して新規な印刷装置を提供することができる。請求項ごとの効果を挙げれば次のとおりである。
請求項１記載の発明によれば、印刷モード別印圧制御手段によって、印刷モード設定手段による写真印刷モード設定時には文字・写真印刷モード設定時よりも、文字・写真印刷モード設定時には文字印刷モード設定時よりもそれぞれ印圧が低くなるように印圧可変手段が制御されるので、各印刷モードに応じて印刷すべき画像に忠実で良好な印刷画質の印刷物を得ることができる。
【０１７９】
請求項２記載の発明によれば、印圧用パラメータ別印圧制御手段によって、少なくとも１つの印圧用パラメータを検出または設定する手段によって検出または設定された少なくとも１つの印圧用パラメータに応じて、印圧が所定の印圧になるように印圧可変手段が制御されるので、環境変動や印刷条件の変化に拘わらず、各印刷モードに応じて請求項１記載の発明よりもさらに印刷すべき画像に忠実で良好な印刷画質の印刷物を得ることができる。
【０１８０】
請求項３記載の発明によれば、印刷ドラム上の同じ製版済みのマスタを用いて印刷を行う次回の印刷時に、前回の最終印刷時に使用した印刷モードおよび印刷条件を記憶手段から選択して印刷を行えることにより、請求項１または２記載の発明の効果に加えて、一々同様の印刷モードおよび同様の印刷条件を設定する必要性がなくなるので、操作性が向上する。
【０１８１】
請求項４記載の発明によれば、モード別印圧制御手段によって、モード設定手段による写真モード設定時には文字・写真モード設定時よりも、文字・写真モード設定時には文字モード設定時よりも、それぞれ印圧が低くなるように印圧可変手段が制御されるので、各モードに応じて印刷すべき画像に忠実で良好な印刷画質の印刷物を得ることができる。
【０１８２】
請求項５記載の発明によれば、印圧用パラメータ別印圧制御手段によって、少なくとも１つの印圧用パラメータを検出または設定する手段によって検出または設定された少なくとも１つの印圧用パラメータに応じて、印圧が所定の印圧になるように印圧可変手段が制御されるので、環境変動や印刷条件の変化に拘わらず、各モードに応じて請求項４記載の発明よりもさらに印刷すべき画像に忠実で良好な印刷画質の印刷物を得ることができる。
【０１８３】
請求項６記載の発明によれば、パラメータ別エネルギー調整手段によって、少なくとも１つの穿孔エネルギー用パラメータを検出または設定する手段により検出または設定された少なくとも１つの穿孔エネルギー用パラメータに応じて、製版手段の発熱素子に供給する穿孔エネルギーが所定のエネルギーに調整されるので、環境変動や印刷条件の変化に拘わらず、各モードに応じて請求項４や５記載の発明よりもさらに印刷すべき画像に忠実で良好な印刷画質の印刷物を得ることができる。
【０１８４】
請求項７記載の発明によれば、印刷ドラム上の同じ製版済みのマスタを用いて印刷を行う次回の印刷時に、前回の最終印刷時に使用したモードおよび印刷条件を記憶手段から選択して印刷動作を行えることにより、請求項４、５または６記載の発明の効果に加えて、一々同様のモードおよび同様の印刷条件を設定する必要性がなくなるので、操作性が向上する。
【図面の簡単な説明】
【図１】本発明の実施形態１を示す孔版印刷装置の概略的な正面図である。
【図２】図１における孔版印刷装置の操作パネルの平面図である。
【図３】プレスローラ変位手段および印圧可変手段周りの要部の斜視図である。
【図４】プレスローラおよび印刷ドラムの駆動機構周りの斜視図である。
【図５】実施形態１の制御構成を示すブロック図である。
【図６】市松ドット状の製版済みのマスタに基づいて、印圧を高くしたり低くしたりした際の印刷画像状態を説明する写真である。
【図７】印圧ドラム装置での印圧作用を説明する一部断面正面図である。
【図８】印圧とインキ転移量との関係を示すグラフである。
【図９】実施形態１の要部の動作を説明するためのフローチャートである。
【図１０】変形例１の操作パネルの平面図である。
【図１１】変形例１の制御構成を示すブロック図である。
【図１２】変形例１等における印圧用パラメータ別の印圧方向性を示す図表である。
【図１３】変形例２の制御構成を示すブロック図である。
【図１４】変形例３の制御構成を示すブロック図である。
【図１５】変形例４の制御構成を示すブロック図である。
【図１６】インキ種類検出手段を示す模式的な正面図である。
【図１７】マスタ種類検出手段を示す斜視図である。
【図１８】マスタ種類検出手段の識別表示体を示す平面図である。
【図１９】マスタ種類検出手段の別の例を示す説明図である。
【図２０】変形例５の制御構成を示すブロック図である。
【図２１】変形例５等における穿孔エネルギー用パラメータ別の通電パルス幅方向性を示す図表である。
【図２２】変形例６の制御構成を示すブロック図である。
【図２３】変形例７の制御構成を示すブロック図である。
【図２４】変形例８の制御構成を示すブロック図である。
【符号の説明】
２０    印圧可変手段
３０，３０Ａ  操作パネル
３１    モード設定手段としての文字モード設定キー
３２    モード設定手段としての文字・写真モード設定キー
３３    モード設定手段としての写真モード設定キー
３５    インキ種類設定手段としてのインキ種類設定キー
３７    マスタ種類設定手段としてのマスタ種類設定キー
４０    用紙種類設定手段としての用紙種類設定キー
４７    印刷速度設定手段としての印刷速度設定キー
５８    電力断接手段としての電源スイッチ
６１  マスタ
６２  印刷用紙
６３，６３Ａ〜６３Ｈ    制御装置
６４    モード別印圧制御手段
６５    記憶手段
６６Ａ〜６６Ｄ    印圧用パラメータ別印圧制御手段
６７Ｅ〜６７Ｈ    パラメータ別エネルギー調整手段
７６    インキ粘度検出手段としてのインキ粘度検出装置
７７    環境温度検出手段としての環境温度検出センサ
７８    インキ温度検出手段としてのインキ温度検出センサ
９０    製版給版装置
９１    製版手段としてのサーマルヘッド
９１ａ  発熱素子
１００  印圧ドラム装置
１０１  印刷ドラム
１０３  押圧手段としてのプレスローラ
１１９  インキ供給装置
１３５  インキ種類検出手段
１４１  マスタ種類検出手段
１４７  用紙種類検出手段
【図１】
2004155170.tif 000003
【図２】
2004155170.tif 000004
【図３】
2004155170.tif 000005
【図４】
2004155170.tif 000006
【図５】
2004155170.tif 000007
【図６】
2004155170.tif 000008
【図７】
2004155170.tif 000009
【図８】
2004155170.tif 000010
【図９】
2004155170.tif 000011
【図１０】
2004155170.tif 000012
【図１１】
2004155170.tif 000013
【図１２】
2004155170.tif 000014
【図１３】
2004155170.tif 000015
【図１４】
2004155170.tif 000016
【図１５】
2004155170.tif 000017
【図１６】
2004155170.tif 000018
【図１７】
2004155170.tif 000019
【図１８】
2004155170.tif 000020
【図１９】
2004155170.tif 000021
【図２０】
2004155170.tif 000022
【図２１】
2004155170.tif 000023
【図２２】
2004155170.tif 000024
【図２３】
2004155170.tif 000025
【図２４】
2004155170.tif 000026